(57)【要約】  本発明の実施例は、端末のリソース消費を低減するためのチャネル品質インデックス測定方法及び装置を開示し、通信技術の分野に関する。方法は、基地局により、端末のリソース番号に対応する時間周波数リソースのそれぞれの上のターゲットCSI-RSを決定するステップであり、ターゲットCSI-RSは、プリコーディングされたCSI-RSであり、時間周波数リソースは、CSI-RS又はターゲットCSI-RSを送信するために使用されるリソースエレメントである、ステップと、基地局により、リソース番号に対応する時間周波数リソースのそれぞれの上のターゲットCSI-RSを端末に時間周波数リソース上で送出するステップと、基地局により、端末のリソース番号を示すために使用される指示情報を端末に送出するステップと、基地局により、端末により送出され且つチャネル品質を示すために使用されるCQIを受信するステップとを含む。
2019513317.tif 000002
【特許請求の範囲】
【請求項１】
チャネル品質インデックスCQI測定方法であって、
基地局により、端末のリソース番号に対応する時間周波数リソースのそれぞれの上のターゲットチャネル状態情報参照信号CSI-RSを決定するステップであり、前記ターゲットCSI-RSは、プリコーディングされたCSI-RSであり、前記時間周波数リソースは、前記CSI-RS又は前記ターゲットCSI-RSを送信するために使用されるリソースエレメントである、ステップと、
前記基地局により、前記リソース番号に対応する前記時間周波数リソースのそれぞれの上の前記ターゲットCSI-RSを前記端末に前記時間周波数リソース上で送出するステップと、
前記基地局により、指示情報を前記端末に送出するステップであり、前記指示情報は、前記リソース番号を前記端末に示すために使用される、ステップと、
前記基地局により、前記端末により送出されたCQIを受信するステップであり、前記CQIは、チャネル品質を示すために使用される、ステップと
を含む方法。
【請求項２】
前記基地局により、指示情報を前記端末に送出するステップは、
前記基地局により、前記指示情報を前記端末に物理下りリンク制御チャネルPDCCH上で送出するステップであり、異なるサブフレームにおいて前記基地局により前記端末にPDCCH上で送出された前記指示情報により示されるリソース番号は、同じであるか、或いは異なる、ステップを含む、請求項１に記載の方法。
【請求項３】
前記指示情報により示されるリソース番号の数は、第１のチャネルのランクRankの値と同じであり、前記方法は、
前記基地局により、前記端末により送出されたランクインデックスRIを受信するステップであり、前記RIは、前記指示情報により示される前記リソース番号に対応する前記時間周波数リソースのそれぞれの上で受信された情報に基づいて前記端末により測定された第２のRankに基づいて、前記端末により決定されたRIである、ステップと、
前記基地局により、前記RIに基づいて前記第２のRankを決定するステップと、
前記基地局により、前記端末に対応するプリコーディング行列を使用することにより、前記端末に送出されるデータストリームをプリコーディングし、データポート上で前記データストリームを送出するステップであり、データポートの数は、前記第１のRankの値と同じであり、前記データストリームのレイヤ数は、前記第２のRankの値と同じであり、前記第２のRankは、前記第１のRank以下であり、前記第１のRankは、前記端末について前記基地局により決定された初期Rankである、ステップと
を更に含む、請求項１又は２に記載の方法。
【請求項４】
前記リソース番号は、リソースプールに含まれるR個のリソースのリソース番号であり、１つのリソースは、１つのリソース番号に対応しており、Rは2以上の整数であり、前記リソースプールは、前記基地局により規定されたリソースプールであり、前記方法は、
前記基地局により、無線リソース制御RRCシグナリングを使用することにより、前記リソースプールを前記端末に送出するステップを更に含む、請求項１乃至３のうちいずれか１項に記載の方法。
【請求項５】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項１乃至４のうちいずれか１項に記載の方法。
【請求項６】
基地局により、端末のリソース番号に対応する時間周波数リソースのそれぞれの上のターゲットCSI-RSを決定するステップは、
前記基地局により、前記リソース番号、前記リソース番号に対応するCSI-RS及び前記プリコーディング行列に基づいて、前記リソース番号に対応する前記時間周波数リソースのそれぞれの上で送出される前記ターゲットCSI-RSを決定するステップを含む、請求項５に記載の方法。
【請求項７】
前記基地局により、前記リソース番号、前記リソース番号に対応するCSI-RS及び前記プリコーディング行列に基づいて、前記リソース番号に対応する前記時間周波数リソースのそれぞれの上で送出される前記ターゲットCSI-RSを決定するステップは、
前記基地局により、前記端末の前記第１のRank及び前記プリコーディング行列を決定するステップと、
前記基地局により、前記第１のRankに基づいて前記リソース番号を前記端末に割り当てるステップであり、前記リソース番号の数は、前記第１のRankの前記値と同じである、ステップと、
前記基地局により、前記リソース番号に対応するコードを使用することにより、前記リソース番号に対応する前記CSI-RSに対してスペクトル拡散を実行し、前記プリコーディング行列を使用することにより、スペクトル拡散後に取得された各CSI-RSをプリコーディングし、前記リソース番号に対応する前記時間周波数リソースのそれぞれの上で送出される前記ターゲットCSI-RSを取得するステップと、
を含み、前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項６に記載の方法。
【請求項８】
前記リソース番号は、前記リソースプールに含まれる前記R個のリソースの前記リソース番号であり、前記指示情報は、R個のビットを含み、前記R個のビット内の第rのビットは、前記R個のリソース内の第rのリソースを前記端末に割り当てるか否かを示すために使用され、Rは2以上の整数であり、rは1以上且つR以下の整数であるか、或いは前記指示情報は、3ビットを含み、前記指示情報により示される前記リソース番号は、前記3ビットの値が異なるときに異なるか、或いは前記指示情報は、4ビットを含み、前記指示情報により示される前記リソース番号は、前記4ビットの値が異なるときに異なる、請求項１乃至７のうちいずれか１項に記載の方法。
【請求項９】
前記基地局により、トリガー情報を前記端末に送出するステップであり、前記トリガー情報は、前記指示情報により示される前記リソース番号に対応する前記時間周波数リソースのそれぞれの上で受信された前記情報に基づいて前記チャネル品質及び／又は前記第２のRankを測定するように前記端末をトリガーするために使用される、ステップを更に含む、請求項３に記載の方法。
【請求項１０】
前記基地局により、前記指示情報を前記端末にPDCCH上で送出するステップは、
前記基地局により、上りリンクスケジューリング指示情報を前記端末に送出するステップであり、前記上りリンクスケジューリング指示情報は、前記指示情報を含む、ステップ、又は
前記基地局により、下りリンクスケジューリング指示情報を前記端末に送出するステップであり、前記下りリンクスケジューリング指示情報は、前記指示情報を含む、ステップ
を含む、請求項２に記載の方法。
【請求項１１】
前記下りリンクスケジューリング指示情報が前記指示情報を含むときに、前記方法は、
前記基地局により、第Mのサブフレームにおいて前記指示情報、前記ターゲットCSI-RS及び下りリンクデータリソース割り当て方式を前記端末に送出するステップであり、それにより、前記端末は、第(M+K)のサブフレームにおいて前記基地局により送出されたデータのチャネル品質を測定し、M及びKの双方は1以上の整数である、ステップと、
前記基地局により、前記第(M+K)のサブフレームにおいて前記端末に対応する変調及び符号化ポリシーを前記端末に送出するステップであり、前記第Mのサブフレームにおいて前記基地局により前記ターゲットCSI-RSに割り当てられた物理リソースブロックPRBの数及び位置は、前記第(M+K)のサブフレームにおいて前記基地局により送出されるデータチャネルにより占有されるPRBの数及び位置と同じである、ステップと
を更に含む、請求項１０に記載の方法。
【請求項１２】
チャネル品質インデックスCQI測定方法であって、
端末により、基地局により各時間周波数リソース上で送出された情報を受信するステップと、
前記端末により、前記基地局により送出された指示情報を受信するステップであり、前記指示情報は、前記端末のリソース番号を前記端末に示すために使用される、ステップと、
前記端末により、前記指示情報に基づいて前記端末の前記リソース番号を決定するステップと、
前記端末により、前記端末の前記リソース番号に基づいて前記情報からターゲット情報を決定するステップであり、前記ターゲット情報は、前記端末の前記リソース番号に対応する時間周波数リソース上で前記基地局により前記端末に送出された受信情報であり、前記時間周波数リソースは、チャネル状態情報参照信号CSI-RS又はターゲットCSI-RSを送信するために使用されるリソースエレメントであり、前記ターゲットCSI-RSは、プリコーディングされたCSI-RSである、ステップと、
前記端末により、前記ターゲット情報に基づいてチャネル品質を測定し、前記測定されたチャネル品質に基づいてCQIを決定するステップと、
前記端末により、前記CQIを前記基地局に送出するステップと
を含む方法。
【請求項１３】
前記端末により、前記基地局により送出された指示情報を受信するステップは、
前記端末により、前記基地局により送出された前記指示情報を物理下りリンク制御チャネルPDCCH上で受信するステップであり、前記基地局により送出され且つ異なるサブフレームにおいて前記端末によりPDCCH上で受信された前記指示情報により示されるリソース番号は、同じであるか、或いは異なる、ステップを含む、請求項１２に記載の方法。
【請求項１４】
前記指示情報により示されるリソース番号の数は、第１のチャネルのランクRankの値と同じであり、前記端末により、前記指示情報に基づいて前記端末の前記リソース番号を決定した後に、前記方法は、
前記端末により、前記リソース番号の数が前記第１のRankの前記値であると決定するステップであり、前記第１のRankは、前記端末について前記基地局により決定された初期Rankである、ステップと、
前記端末により、前記ターゲット情報及び前記第１のRankに基づいて第２のRankを測定し、前記測定された第２のRankに基づいてランクインデックスRIを決定するステップであり、前記RIに対応する前記第２のRankは、前記第１のRank以下である、ステップと、
前記端末により、前記RIを前記基地局に送出するステップと
を更に含む、請求項１２又は１３に記載の方法。
【請求項１５】
前記リソース番号は、リソースプールに含まれるR個のリソースのリソース番号であり、１つのリソースは、１つのリソース番号に対応しており、Rは2以上の整数であり、前記方法は、
前記端末により、無線リソース制御RRCシグナリングを使用することにより、前記基地局により送出された前記リソースプールを受信するステップを更に含む、請求項１２乃至１４のうちいずれか１項に記載の方法。
【請求項１６】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項１２乃至１５のうちいずれか１項に記載の方法。
【請求項１７】
前記端末により、前記端末の前記リソース番号に基づいて前記情報からターゲット情報を決定するステップは、
前記端末により、前記端末の前記リソース番号に対応する前記時間周波数リソース上で受信された前記情報を決定するステップと、
前記端末により、前記端末の前記リソース番号に対応するコードを使用することにより、前記端末の前記リソース番号に対応する前記時間周波数リソース上で受信された前記情報を逆拡散し、前記ターゲット情報を取得するステップと
を含み、前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項１６に記載の方法。
【請求項１８】
前記リソース番号は、前記リソースプールに含まれる前記R個のリソースの前記リソース番号であり、前記端末により、前記指示情報に基づいて前記端末の前記リソース番号を決定するステップは、
前記端末により、前記指示情報に含まれるR個のビットに基づいて前記端末の前記リソース番号を決定するステップであり、前記R個のビット内の第rのビットは、前記R個のリソース内の第rのリソースを前記端末に割り当てるか否かを示すために使用され、Rは2以上の整数であり、rは1以上且つR以下の整数である、ステップ、又は
前記端末により、前記指示情報に含まれる3ビットの値に基づいて前記端末の前記リソース番号を決定するステップ、又は
前記端末により、前記指示情報に含まれる4ビットの値に基づいて前記端末の前記リソース番号を決定するステップ
を含む、請求項１２乃至１７のうちいずれか１項に記載の方法。
【請求項１９】
前記端末により、前記基地局により送出されたトリガー情報を受信するステップと、
前記端末により、前記トリガー情報に基づいて前記チャネル品質及び／又は前記第２のRankを測定することを決定するステップと
を更に含む、請求項１４に記載の方法。
【請求項２０】
前記端末により、前記基地局により送出された前記指示情報をPDCCH上で受信するステップは、
前記端末により、前記基地局により送出された上りリンクスケジューリング指示情報を受信するステップであり、前記上りリンクスケジューリング指示情報は、前記指示情報を含む、ステップ、又は
前記端末により、前記基地局により送出された下りリンクスケジューリング指示情報を受信するステップであり、前記下りリンクスケジューリング指示情報は、前記指示情報を含む、ステップ
を含む、請求項１３に記載の方法。
【請求項２１】
前記下りリンクスケジューリング指示情報が前記指示情報を含むとき、前記方法は、
前記端末により、前記基地局により送出された受信した第Mのサブフレームに基づいて、第(M+K)のサブフレームにおいて前記基地局により送出されたデータのチャネル品質を測定するステップを更に含み、
前記第Mのサブフレームは、前記指示情報、前記ターゲットCSI-RS及び下りリンクデータリソース割り当て方式を含み、前記第(M+K)のサブフレームは、前記端末に対応する変調及び符号化ポリシーを含み、前記第Mのサブフレームにおいて前記基地局により前記ターゲットCSI-RSに割り当てられた物理リソースブロックPRBの数及び位置は、前記第(M+K)のサブフレームにおいて前記基地局により送出されるデータチャネルにより占有されるPRBの数及び位置と同じであり、M及びKの双方は1以上の整数である、請求項２０に記載の方法。
【請求項２２】
チャネル品質インデックスCQI測定装置であって、
端末のリソース番号に対応する時間周波数リソースのそれぞれの上のターゲットチャネル状態情報参照信号CSI-RSを決定するように構成された第１の決定ユニットであり、前記ターゲットCSI-RSは、プリコーディングされたCSI-RSであり、前記時間周波数リソースは、前記CSI-RS又は前記ターゲットCSI-RSを送信するために使用されるリソースエレメントである、第１の決定ユニットと、
前記リソース番号に対応する前記時間周波数リソースのそれぞれの上の前記ターゲットCSI-RSを前記端末に前記時間周波数リソース上で送出するように構成された第１の送出ユニットと、
指示情報を前記端末に送出するように構成された第２の送出ユニットであり、前記指示情報は、前記リソース番号を前記端末に示すために使用される、第２の送出ユニットと、
前記端末により送出されたCQIを受信するように構成された第１の受信ユニットであり、前記CQIは、チャネル品質を示すために使用される、第１の受信ユニットと
を含む装置。
【請求項２３】
前記第２の送出ユニットは、
前記指示情報を前記端末に物理下りリンク制御チャネルPDCCH上で送出するように具体的に構成され、異なるサブフレームにおいて前記第２の送出ユニットにより前記端末にPDCCH上で送出された前記指示情報により示されるリソース番号は、同じであるか、或いは異なる、請求項２２に記載の装置。
【請求項２４】
前記装置は、第２の受信ユニットと、第２の決定ユニットと、プリコーディングユニットと、第３の送出ユニットとを更に含み、
前記第２の受信ユニットは、前記端末により送出されたランクインデックスRIを受信するように構成され、前記RIは、前記指示情報により示される前記リソース番号に対応する前記時間周波数リソースのそれぞれの上で受信された情報に基づいて前記端末により測定された第２のRankに基づいて、前記端末により決定されたRIであり、
前記第２の決定ユニットは、前記RIに基づいて前記第２のRankを決定するように構成され、
前記プリコーディングユニットは、前記端末に対応するプリコーディング行列を使用することにより、前記端末に送出されるデータストリームをプリコーディングするように構成され、
前記第３の送出ユニットは、データポート上で前記データストリームを送出するように構成され、データポートの数は、前記第１のRankの値と同じであり、前記データストリームのレイヤ数は、前記第２のRankの値と同じであり、前記第２のRankは、前記第１のRank以下であり、前記第１のRankは、前記端末について前記基地局により決定された初期Rankである、請求項２２又は２３に記載の装置。
【請求項２５】
前記装置は、第４の送出ユニットを更に含み、
前記第４の送出ユニットは、無線リソース制御RRCシグナリングを使用することにより、リソースプールを前記端末に送出するように構成され、前記リソース番号は、前記リソースプールに含まれるR個のリソースのリソース番号であり、１つのリソースは、１つのリソース番号に対応しており、Rは2以上の整数である、請求項２２乃至２４のうちいずれか１項に記載の装置。
【請求項２６】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項２２乃至２５のうちいずれか１項に記載の装置。
【請求項２７】
前記第１の決定ユニットは、
前記リソース番号、前記リソース番号に対応するCSI-RS及び前記プリコーディング行列に基づいて、前記リソース番号に対応する前記時間周波数リソースのそれぞれの上で送出される前記ターゲットCSI-RSを決定するように具体的に構成される、請求項２６に記載の装置。
【請求項２８】
前記第１の決定ユニットは、
前記端末の前記第１のRank及び前記プリコーディング行列を決定し、
前記第１のRankに基づいて前記リソース番号を前記端末に割り当て、リソース番号の数は、前記第１のRankの前記値と同じであり、
前記リソース番号に対応するコードを使用することにより、前記リソース番号に対応する前記CSI-RSに対してスペクトル拡散を実行し、前記プリコーディング行列を使用することにより、スペクトル拡散後に取得された各CSI-RSをプリコーディングし、前記リソース番号に対応する前記時間周波数リソースのそれぞれの上で送出される前記ターゲットCSI-RSを取得するように具体的に構成され、
前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項２７に記載の装置。
【請求項２９】
前記リソース番号は、前記リソースプールに含まれる前記R個のリソースの前記リソース番号であり、前記指示情報は、R個のビットを含み、前記R個のビット内の第rのビットは、前記R個のリソース内の第rのリソースを前記端末に割り当てるか否かを示すために使用され、Rは2以上の整数であり、rは1以上且つR以下の整数であるか、或いは前記指示情報は、3ビットを含み、前記指示情報により示される前記リソース番号は、前記3ビットの値が異なるときに異なるか、或いは前記指示情報は、4ビットを含み、前記指示情報により示される前記リソース番号は、前記4ビットの値が異なるときに異なる、請求項２２乃至２８のうちいずれか１項に記載の装置。
【請求項３０】
前記装置は、第５の送出ユニットを更に含み、
前記第５の送出ユニットは、トリガー情報を前記端末に送出するように構成され、前記トリガー情報は、前記指示情報により示される前記リソース番号に対応する前記時間周波数リソースのそれぞれの上で受信された前記情報に基づいて前記チャネル品質及び／又は前記第２のRankを測定するように前記端末をトリガーするために使用される、請求項２４に記載の装置。
【請求項３１】
前記第２の送出ユニットは、
上りリンクスケジューリング指示情報を前記端末に送出し、前記上りリンクスケジューリング指示情報は、前記指示情報を含むか、或いは
下りリンクスケジューリング指示情報を前記端末に送出し、前記下りリンクスケジューリング指示情報は、前記指示情報を含む
ように具体的に構成される、請求項２３に記載の装置。
【請求項３２】
第Mのサブフレームにおいて前記指示情報、前記ターゲットCSI-RS及び下りリンクデータリソース割り当て方式を前記端末に送出し、それにより、前記端末は、第(M+K)のサブフレームにおいて前記基地局により送出されたデータのチャネル品質を測定し、M及びKの双方は1以上の整数であり、
前記第(M+K)のサブフレームにおいて前記端末に対応する変調及び符号化ポリシーを前記端末に送出し、前記第Mのサブフレームにおいて前記基地局により前記ターゲットCSI-RSに割り当てられた物理リソースブロックPRBの数及び位置は、前記第(M+K)のサブフレームにおいて前記基地局により送出されるデータチャネルにより占有されるPRBの数及び位置と同じである
ように構成された第６の送出ユニットを更に含む、請求項３１に記載の装置。
【請求項３３】
チャネル品質インデックスCQI測定装置であって、
基地局により各時間周波数リソース上で送出された情報を受信するように構成された第１の受信ユニットと、
前記基地局により送出された指示情報を受信するように構成された第２の受信ユニットであり、前記指示情報は、前記端末のリソース番号を前記端末に示すために使用される、第２の受信ユニットと、
前記指示情報に基づいて前記端末の前記リソース番号を決定するように構成された第１の決定ユニットと、
前記端末の前記リソース番号に基づいて前記情報からターゲット情報を決定するように構成された第２の決定ユニットであり、前記ターゲット情報は、前記端末の前記リソース番号に対応する時間周波数リソース上で前記基地局により前記端末に送出された受信情報であり、前記時間周波数リソースは、チャネル状態情報参照信号CSI-RS又はターゲットCSI-RSを送信するために使用されるリソースエレメントであり、前記ターゲットCSI-RSは、プリコーディングされたCSI-RSである、第２の決定ユニットと、
前記ターゲット情報に基づいてチャネル品質を測定し、前記測定されたチャネル品質に基づいてCQIを決定するように構成された第１の実行ユニットと、
前記CQIを前記基地局に送出するように構成された第１の送出ユニットと
を含む装置。
【請求項３４】
前記第２の受信ユニットは、
前記基地局により送出された前記指示情報を物理下りリンク制御チャネルPDCCH上で受信するように具体的に構成され、前記基地局により送出され且つ異なるサブフレームにおいて前記第２の受信ユニットによりPDCCH上で受信された前記指示情報により示されるリソース番号は、同じであるか、或いは異なる、請求項３３に記載の装置。
【請求項３５】
前記装置は、第３の決定ユニットと、第２の実行ユニットと、第２の送出ユニットとを更に含み、
前記第３の送出ユニットは、リソース番号の数が第１のRankの値であると決定するように構成され、前記第１のRankは、前記端末について前記基地局により決定された初期Rankであり、
前記第２の実行ユニットは、前記ターゲット情報及び前記第１のRankに基づいて第２のRankを測定し、前記測定された第２のRankに基づいてランクインデックスRIを決定するように構成され、前記RIに対応する前記第２のRankは、前記第１のRank以下であり、
前記第２の送出ユニットは、前記RIを前記基地局に送出するように構成される、請求項３３又は３４に記載の装置。
【請求項３６】
前記装置は、
無線リソース制御RRCシグナリングを使用することにより、前記基地局により送出されたリソースプールを受信するように構成された第３の受信ユニットを更に含み、前記リソース番号は、前記リソースプールに含まれるR個のリソースのリソース番号であり、１つのリソースは、１つのリソース番号に対応しており、Rは2以上の整数である、請求項３３乃至３５のうちいずれか１項に記載の装置。
【請求項３７】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項３３乃至３６のうちいずれか１項に記載の装置。
【請求項３８】
前記第２の決定ユニットは、
前記端末の前記リソース番号に対応する前記時間周波数リソース上で受信された前記情報を決定し、
前記端末の前記リソース番号に対応するコードを使用することにより、前記端末の前記リソース番号に対応する前記時間周波数リソース上で受信された前記情報を逆拡散し、前記ターゲット情報を取得するように具体的に構成され、
前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項３７に記載の装置。
【請求項３９】
前記第１の決定ユニットは、
前記指示情報に含まれるR個のビットに基づいて前記端末の前記リソース番号を決定し、前記R個のビット内の第rのビットは、前記R個のリソース内の第rのリソースを前記端末に割り当てるか否かを示すために使用され、Rは2以上の整数であり、rは1以上且つR以下の整数であるか、或いは
前記指示情報に含まれる3ビットの値に基づいて前記端末の前記リソース番号を決定するか、或いは
前記指示情報に含まれる4ビットの値に基づいて前記端末の前記リソース番号を決定する
ように具体的に構成される、請求項３３乃至３８のうちいずれか１項に記載の装置。
【請求項４０】
前記装置は、第４の受信ユニットと、第４の決定ユニットとを更に含み、
前記第４の受信ユニットは、前記基地局により送出されたトリガー情報を受信するように構成され、
前記第４の決定ユニットは、前記トリガー情報に基づいて前記チャネル品質及び／又は前記第２のRankを測定することを決定するように構成される、請求項３５に記載の装置。
【請求項４１】
前記第２の受信ユニットは、
前記基地局により送出された上りリンクスケジューリング指示情報を受信し、前記上りリンクスケジューリング指示情報は、前記指示情報を含むか、或いは
前記基地局により送出された下りリンクスケジューリング指示情報を受信し、前記下りリンクスケジューリング指示情報は、前記指示情報を含む
ように具体的に構成される、請求項３４に記載の装置。
【請求項４２】
前記装置は、
前記基地局により送出された受信した第Mのサブフレームに基づいて、第(M+K)のサブフレームにおいて前記基地局により送出されたデータのチャネル品質を測定するように構成された測定ユニットを更に含み、
前記第Mのサブフレームは、前記指示情報、前記ターゲットCSI-RS及び下りリンクデータリソース割り当て方式を含み、前記第(M+K)のサブフレームは、前記端末に対応する変調及び符号化ポリシーを含み、前記第Mのサブフレームにおいて前記基地局により前記ターゲットCSI-RSに割り当てられた物理リソースブロックPRBの数及び位置は、前記第(M+K)のサブフレームにおいて前記基地局により送出されるデータチャネルにより占有されるPRBの数及び位置と同じであり、M及びKの双方は1以上の整数である、請求項４１に記載の装置。
【請求項４３】
チャネル品質インデックスCQI測定装置であって、
メモリと、プロセッサと、送信機と、受信機とを含み、
前記メモリは、コードを記憶するように構成され、前記プロセッサは、前記コードに基づいて以下の動作、すなわち、
端末のリソース番号に対応する時間周波数リソースのそれぞれの上のターゲットチャネル状態情報参照信号CSI-RSを決定する動作であり、前記ターゲットCSI-RSは、プリコーディングされたCSI-RSであり、前記時間周波数リソースは、前記CSI-RS又は前記ターゲットCSI-RSを送信するために使用されるリソースエレメントである、動作を実行し、
前記送信機は、前記リソース番号に対応する前記時間周波数リソースのそれぞれの上の前記ターゲットCSI-RSを前記端末に前記時間周波数リソース上で送出するように構成され、
前記送信機は、指示情報を前記端末に送出するように更に構成され、前記指示情報は、前記リソース番号を前記端末に示すために使用され、
前記受信機は、前記端末により送出されたCQIを受信するように構成され、前記CQIは、チャネル品質を示すために使用される、装置。
【請求項４４】
前記送信機は、
前記指示情報を前記端末に物理下りリンク制御チャネルPDCCH上で送出するように具体的に構成され、異なるサブフレームにおいて前記送信機により前記端末にPDCCH上で送出された前記指示情報により示されるリソース番号は、同じであるか、或いは異なる、請求項４３に記載の装置。
【請求項４５】
前記受信機は、前記端末により送出されたランクインデックスRIを受信するように更に構成され、前記RIは、前記指示情報により示される前記リソース番号に対応する前記時間周波数リソースのそれぞれの上で受信された情報に基づいて前記端末により測定された第２のRankに基づいて、前記端末により決定されたRIであり、
前記プロセッサは、前記RIに基づいて前記第２のRankを決定するように更に構成され、
前記プロセッサは、前記端末に対応するプリコーディング行列を使用することにより、前記端末に送出されるデータストリームをプリコーディングするように更に構成され、
前記送信機は、データポート上で前記データストリームを送出するように更に構成され、データポートの数は、第１のRankの値と同じであり、前記データストリームのレイヤ数は、前記第２のRankの値と同じであり、前記第２のRankは、前記第１のRank以下であり、前記第１のRankは、前記端末について前記基地局により決定された初期Rankである、請求項４３又は４４に記載の装置。
【請求項４６】
前記送信機は、無線リソース制御RRCシグナリングを使用することにより、リソースプールを前記端末に送出するように更に構成され、前記リソース番号は、前記リソースプールに含まれるR個のリソースのリソース番号であり、１つのリソースは、１つのリソース番号に対応しており、Rは2以上の整数である、請求項４３乃至４５のうちいずれか１項に記載の装置。
【請求項４７】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項４３乃至４６のうちいずれか１項に記載の装置。
【請求項４８】
前記プロセッサは、
前記リソース番号、前記リソース番号に対応するCSI-RS及び前記プリコーディング行列に基づいて、前記リソース番号に対応する前記時間周波数リソースのそれぞれの上で送出される前記ターゲットCSI-RSを決定するように具体的に構成される、請求項４７に記載の装置。
【請求項４９】
前記プロセッサは、
前記端末の前記第１のRank及び前記プリコーディング行列を決定し、
前記第１のRankに基づいて前記リソース番号を前記端末に割り当て、リソース番号の数は、前記第１のRankの前記値と同じであり、
前記リソース番号に対応するコードを使用することにより、前記リソース番号に対応する前記CSI-RSに対してスペクトル拡散を実行し、前記プリコーディング行列を使用することにより、スペクトル拡散後に取得された各CSI-RSをプリコーディングし、前記リソース番号に対応する前記時間周波数リソースのそれぞれの上で送出される前記ターゲットCSI-RSを取得するように具体的に構成され、
前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項４８に記載の装置。
【請求項５０】
前記リソース番号は、前記リソースプールに含まれる前記R個のリソースの前記リソース番号であり、前記指示情報は、R個のビットを含み、前記R個のビット内の第rのビットは、前記R個のリソース内の第rのリソースを前記端末に割り当てるか否かを示すために使用され、Rは2以上の整数であり、rは1以上且つR以下の整数であるか、或いは前記指示情報は、3ビットを含み、前記指示情報により示される前記リソース番号は、前記3ビットの値が異なるときに異なるか、或いは前記指示情報は、4ビットを含み、前記指示情報により示される前記リソース番号は、前記4ビットの値が異なるときに異なる、請求項４３乃至４９のうちいずれか１項に記載の装置。
【請求項５１】
前記送信機は、
トリガー情報を前記端末に送出するように更に構成され、前記トリガー情報は、前記指示情報により示される前記リソース番号に対応する前記時間周波数リソースのそれぞれの上で受信された前記情報に基づいて前記チャネル品質及び／又は前記第２のRankを測定するように前記端末をトリガーするために使用される、請求項４５に記載の装置。
【請求項５２】
前記送信機は、
上りリンクスケジューリング指示情報を前記端末に送出し、前記上りリンクスケジューリング指示情報は、前記指示情報を含むか、或いは
下りリンクスケジューリング指示情報を前記端末に送出し、前記下りリンクスケジューリング指示情報は、前記指示情報を含む
ように具体的に構成される、請求項４４に記載の装置。
【請求項５３】
前記送信機は、
第Mのサブフレームにおいて前記指示情報、前記ターゲットCSI-RS及び下りリンクデータリソース割り当て方式を前記端末に送出し、それにより、前記端末は、第(M+K)のサブフレームにおいて前記基地局により送出されたデータのチャネル品質を測定し、M及びKの双方は1以上の整数であり、
前記第(M+K)のサブフレームにおいて前記端末に対応する変調及び符号化ポリシーを前記端末に送出し、前記第Mのサブフレームにおいて前記基地局により前記ターゲットCSI-RSに割り当てられた物理リソースブロックPRBの数及び位置は、前記第(M+K)のサブフレームにおいて前記基地局により送出されるデータチャネルにより占有されるPRBの数及び位置と同じである
ように更に構成される、請求項５２に記載の装置。
【請求項５４】
チャネル品質インデックスCQI測定装置であって、
受信機と、メモリと、プロセッサと、送信機とを含み、
前記受信機は、基地局により各時間周波数リソース上で送出された情報を受信するように構成され、
前記受信機は、前記基地局により送出された指示情報を受信するように更に構成され、前記指示情報は、前記端末のリソース番号を前記端末に示すために使用され、
前記メモリは、コードを記憶するように構成され、前記プロセッサは、前記コードに基づいて以下の動作、すなわち、
前記指示情報に基づいて前記端末の前記リソース番号を決定する動作と、
前記端末の前記リソース番号に基づいて前記情報からターゲット情報を決定する動作であり、前記ターゲット情報は、前記端末の前記リソース番号に対応する時間周波数リソース上で前記基地局により前記端末に送出された受信情報であり、前記時間周波数リソースは、チャネル状態情報参照信号CSI-RS又はターゲットCSI-RSを送信するために使用されるリソースエレメントであり、前記ターゲットCSI-RSは、プリコーディングされたCSI-RSである、動作と、
前記ターゲット情報に基づいてチャネル品質を測定し、前記測定されたチャネル品質に基づいてCQIを決定する動作とを実行し、
前記送信機は、前記CQIを前記基地局に送出するように構成される、装置。
【請求項５５】
前記受信機は、
前記基地局により送出された前記指示情報を物理下りリンク制御チャネルPDCCH上で受信するように具体的に構成され、前記基地局により送出され且つ異なるサブフレームにおいて前記受信機によりPDCCH上で受信された前記指示情報により示されるリソース番号は、同じであるか、或いは異なる、請求項５４に記載の装置。
【請求項５６】
前記プロセッサは、リソース番号の数が第１のRankの値であると決定するように更に構成され、前記第１のRankは、前記端末について前記基地局により決定された初期Rankであり、
前記プロセッサは、前記ターゲット情報及び前記第１のRankに基づいて第２のRankを測定し、前記測定された第２のRankに基づいてランクインデックスRIを決定するように更に構成され、前記RIに対応する前記第２のRankは、前記第１のRank以下であり、
前記送信機は、前記RIを前記基地局に送出するように更に構成される、請求項５４又は５５に記載の装置。
【請求項５７】
前記受信機は、
無線リソース制御RRCシグナリングを使用することにより、前記基地局により送出されたリソースプールを受信するように更に構成され、前記リソース番号は、前記リソースプールに含まれるR個のリソースのリソース番号であり、１つのリソースは、１つのリソース番号に対応しており、Rは2以上の整数である、請求項５４乃至５６のうちいずれか１項に記載の装置。
【請求項５８】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項５４乃至５７のうちいずれか１項に記載の装置。
【請求項５９】
前記プロセッサは、
前記端末の前記リソース番号に対応する前記時間周波数リソース上で受信された前記情報を決定し、
前記端末の前記リソース番号に対応するコードを使用することにより、前記端末の前記リソース番号に対応する前記時間周波数リソース上で受信された前記情報を逆拡散し、前記ターゲット情報を取得するように具体的に構成され、
前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項５８に記載の装置。
【請求項６０】
前記プロセッサは、
前記指示情報に含まれるR個のビットに基づいて前記端末の前記リソース番号を決定し、前記R個のビット内の第rのビットは、前記R個のリソース内の第rのリソースを前記端末に割り当てるか否かを示すために使用され、Rは2以上の整数であり、rは1以上且つR以下の整数であるか、或いは
前記指示情報に含まれる3ビットの値に基づいて前記端末の前記リソース番号を決定するか、或いは
前記指示情報に含まれる4ビットの値に基づいて前記端末の前記リソース番号を決定する
ように具体的に構成される、請求項５４乃至５９のうちいずれか１項に記載の装置。
【請求項６１】
前記受信機は、前記基地局により送出されたトリガー情報を受信するように更に構成され、
前記プロセッサは、前記トリガー情報に基づいて前記チャネル品質及び／又は前記第２のRankを測定することを決定するように更に構成される、請求項５６に記載の装置。
【請求項６２】
前記受信機は、
前記基地局により送出された上りリンクスケジューリング指示情報を受信し、前記上りリンクスケジューリング指示情報は、前記指示情報を含むか、或いは
前記基地局により送出された下りリンクスケジューリング指示情報を受信し、前記下りリンクスケジューリング指示情報は、前記指示情報を含む
ように具体的に構成される、請求項５５に記載の装置。
【請求項６３】
前記プロセッサは、
前記基地局により送出された受信した第Mのサブフレームに基づいて、第(M+K)のサブフレームにおいて前記基地局により送出されたデータのチャネル品質を測定するように更に構成され、
前記第Mのサブフレームは、前記指示情報、前記ターゲットCSI-RS及び下りリンクデータリソース割り当て方式を含み、前記第(M+K)のサブフレームは、前記端末に対応する変調及び符号化ポリシーを含み、前記第Mのサブフレームにおいて前記基地局により前記ターゲットCSI-RSに割り当てられた物理リソースブロックPRBの数及び位置は、前記第(M+K)のサブフレームにおいて前記基地局により送出されるデータチャネルにより占有されるPRBの数及び位置と同じであり、M及びKの双方は1以上の整数である、請求項６２に記載の装置。
【発明の詳細な説明】
【技術分野】
【０００１】
本発明は、通信技術の分野に関し、特にチャネル品質インデックス（Channel  Quality  Index,  略称CQI）測定方法及び装置に関する。
【背景技術】
【０００２】
マルチプル・インプット・マルチプル・アウトプット（Multiple  Input  Multiple  Output,  略称MIMO）技術は、ロングタームエボリューション（Long  Term  Evolution,  略称LTE）システムにおいて広く使用されている。MIMOシステムでは、通常では、プリコーディング技術が信号送信品質を改善するため／信号送信レートを増加させるために使用されている。周波数分割多重（Frequency  Division  Duplexing,  略称FDD）モードにおけるLTEシステムでは、端末は、基地局により送出された受信したチャネル状態情報参照信号（Channel  State  Information  Reference  Signal,  略称CSI-RS）に基づいて下りリンクチャネル情報を決定し、下りリンクチャネル情報を基地局にフィードバックする。下りリンクチャネル情報は、プリコーディング行列インデックス（Precoding  Matrix  Index,  PMI）と、ランクインデックス（Rank  Index,  略称RI）と、CQIとを含む。現在、端末は、シングルユーザMIMO（Single-User  MIMO,  略称SU-MIMO）の仮定に基づいて下りリンクチャネル情報を決定する。複数の端末により送出された下りリンクチャネル情報を受信した後に、基地局が各端末によりフィードバックされた下りリンクチャネル情報に基づいて且つ予め設定されたアルゴリズム（例えば、ゼロフォーシング（zero-forcing）アルゴリズム）を使用することにより、複数の端末の間の干渉を低減するために、複数の端末を選択してマルチユーザMIMO（Multi-User  MIMO,  略称MU-MIMO）を形成することを決定した場合、基地局は、端末のためのプリコーディング行列を再構成し、チャネルのランク（Rank）を再決定し、対応するCSI-RSポートを端末に割り当てる。端末によりフィードバックされたCQIはSU-MIMOの仮定に基づくため、CQIは、MU-MIMOシナリオにおける実際の下りリンクチャネル品質に合致しない。
【０００３】
この問題を解決するため、基地局は、端末について再構成されたプリコーディング行列に基づいてCSI-RSをプリコーディングし、プリコーディングされたCSI-RSを端末に送出する。端末は、CSI-RSに基づいてCQIを再測定し、CQIを基地局にフィードバックする。この場合、CSI-RSに基づいてCQIを再測定するとき、基地局は、各CSI-RSポートに対応するチャネルのチャネル品質を測定し（換言すると、端末は、各CSI-RSポートに対応する時間周波数リソース上の受信情報に基づいて、CSI-RSポートに対応するチャネルのチャネル品質を測定する必要がある）、全てのCSI-RSポートに対応するチャネルのチャネル品質を基地局にフィードバックする。しかし、実際には、基地局は、端末に対応するCSI-RSポートに対応するチャネルのチャネル品質のみを必要とする。したがって、上りリンクリソースが浪費される。
【発明の概要】
【０００４】
本発明の実施例は、端末のリソース消費を低減するためのチャネル品質インデックス測定方法及び装置を提供する。
【０００５】
前述の目的を達成するために、本発明の実施例において以下の技術的解決策が使用される。
【０００６】
第１の態様によれば、CQI測定方法が提供される。方法は、
基地局により、端末のリソース番号に対応する時間周波数リソースのそれぞれの上のターゲットCSI-RSを決定するステップであり、ターゲットCSI-RSは、プリコーディングされたCSI-RSであり、時間周波数リソースは、CSI-RS又はターゲットCSI-RSを送信するために使用されるリソースエレメントである、ステップと、
基地局により、リソース番号に対応する時間周波数リソースのそれぞれの上のターゲットCSI-RSを端末に時間周波数リソース上で送出するステップと、
基地局により、端末のリソース番号を示すために使用される指示情報を端末に送出するステップと、
基地局により、端末により送出され且つチャネル品質を示すために使用されるCQIを受信するステップと
を含む。
【０００７】
任意選択で、基地局により、指示情報を端末に送出するステップは、
基地局により、指示情報を端末にPDCCH上で送出するステップであり、異なるサブフレームにおいて基地局により端末にPDCCH上で送出された指示情報により示されるリソース番号は、同じであるか、或いは異なる、ステップを含む。
【０００８】
端末は、基地局によりPDCCH上で送出された情報を迅速に決定し得る。したがって、基地局は、各サブフレームにおいて指示情報を送出してもよく、それにより、端末は、基地局により端末に割り当てられたリソース番号に基づいてチャネル品質を測定する。
【０００９】
任意選択で、指示情報により示されるリソース番号の数は、第１のRankの値と同じであり、方法は、
基地局により、端末により送出されたRIを受信するステップであり、RIは、指示情報により示されるリソース番号に対応する時間周波数リソースのそれぞれの上で受信された情報に基づいて端末により測定された第２のRankに基づいて、端末により決定されたRIである、ステップと、
基地局により、RIに基づいて第２のRankを決定するステップと、
基地局により、端末に対応するプリコーディング行列を使用することにより、端末に送出されるデータストリームをプリコーディングし、データポート上でデータストリームを送出するステップであり、データポートの数は、第１のRankの値と同じであり、データストリームのレイヤ数は、第２のRankの値と同じであり、第２のRankは、第１のRank以下であり、第１のRankは、端末について基地局により決定された初期Rankである、ステップと
を更に含む。
【００１０】
RankとCQIとの間の高い相関のため、端末がCQIを再びフィードバックした後に、基地局が依然として第１のRankに基づいてデータを端末に送出する場合、端末は、データを正確に復号化しない可能性がある。したがって、端末は、ターゲット情報に基づいて第２のRankを決定し、RIを基地局にフィードバックする。基地局は、第２のRankを端末に対応するRankとして最終的に決定し、それにより、端末がデータを正確に復号化できることを確保する。
【００１１】
任意選択で、リソース番号は、リソースプールに含まれるR個のリソースのリソース番号であり、１つのリソースは、１つのリソース番号に対応しており、Rは2以上の整数であり、リソースプールは、基地局により規定されたリソースプールであり、方法は、
基地局により、RRCシグナリングを使用することにより、リソースプールを端末に送出するステップを更に含む。
【００１２】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【００１３】
任意選択で、基地局により、端末のリソース番号に対応する時間周波数リソースのそれぞれの上のターゲットCSI-RSを決定するステップは、
基地局により、リソース番号、リソース番号に対応するCSI-RS及びプリコーディング行列に基づいて、リソース番号に対応する時間周波数リソースのそれぞれの上で送出されるターゲットCSI-RSを決定するステップを含む。
【００１４】
任意選択で、基地局により、リソース番号、リソース番号に対応するCSI-RS及びプリコーディング行列に基づいて、リソース番号に対応する時間周波数リソースのそれぞれの上で送出されるターゲットCSI-RSを決定するステップは、
基地局により、端末の第１のRank及びプリコーディング行列を決定するステップと、
基地局により、第１のRankに基づいてリソース番号を端末に割り当てるステップであり、リソース番号の数は、第１のRankの値と同じである、ステップと、
基地局により、リソース番号に対応するコードを使用することにより、リソース番号に対応するCSI-RSに対してスペクトル拡散を実行し、プリコーディング行列を使用することにより、スペクトル拡散後に取得された各CSI-RSをプリコーディングし、リソース番号に対応する時間周波数リソースのそれぞれの上で送出されるターゲットCSI-RSを取得するステップと、
を含み、リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【００１５】
任意選択で、リソース番号は、リソースプールに含まれるR個のリソースのリソース番号であり、指示情報は、R個のビットを含み、R個のビット内の第rのビットは、R個のリソース内の第rのリソースを端末に割り当てるか否かを示すために使用され、Rは2以上の整数であり、rは1以上且つR以下の整数であるか、或いは指示情報は、3ビットを含み、指示情報により示されるリソース番号は、3ビットの値が異なるときに異なるか、或いは指示情報は、4ビットを含み、指示情報により示されるリソース番号は、4ビットの値が異なるときに異なる。
【００１６】
第２の態様によれば、CQI測定方法が提供される。方法は、
端末により、基地局により各時間周波数リソース上で送出された情報を受信するステップと、
端末により、基地局により送出され且つ端末のリソース番号を端末に示すために使用される指示情報を受信するステップと、
端末により、指示情報に基づいて端末のリソース番号を決定するステップと、
端末により、端末のリソース番号に基づいて情報からターゲット情報を決定するステップであり、ターゲット情報は、端末のリソース番号に対応する時間周波数リソース上で基地局により端末に送出された受信情報であり、時間周波数リソースは、CSI-RS又はターゲットCSI-RSを送信するために使用されるリソースエレメントであり、ターゲットCSI-RSは、プリコーディングされたCSI-RSである、ステップと、
端末により、ターゲット情報に基づいてチャネル品質を測定し、測定されたチャネル品質に基づいてCQIを決定するステップと、
端末により、CQIを基地局に送出するステップと
を含む。
【００１７】
任意選択で、端末により、基地局により送出された指示情報を受信するステップは、
端末により、基地局により送出された指示情報をPDCCH上で受信するステップであり、基地局により送出され且つ異なるサブフレームにおいて端末によりPDCCH上で受信された指示情報により示されるリソース番号は、同じであるか、或いは異なる、ステップを含む。
【００１８】
端末は、基地局によりPDCCH上で送出された情報を迅速に決定し得る。したがって、基地局は、各サブフレームにおいて指示情報を送出してもよく、それにより、端末は、基地局により端末に割り当てられたリソース番号に基づいてチャネル品質を測定する。
【００１９】
任意選択で、指示情報により示されるリソース番号の数は、第１のRankの値と同じであり、端末により、指示情報に基づいて端末のリソース番号を決定した後に、方法は、
端末により、リソース番号の数が第１のRankの値であると決定するステップであり、第１のRankは、端末について基地局により決定された初期Rankである、ステップと、
端末により、ターゲット情報及び第１のRankに基づいて第２のRankを測定し、測定された第２のRankに基づいてRIを決定するステップであり、RIに対応する第２のRankは、第１のRank以下である、ステップと、
端末により、RIを基地局に送出するステップと
を更に含む。
【００２０】
RankとCQIとの間の高い相関のため、端末がCQIを再びフィードバックした後に、基地局が依然として第１のRankに基づいてデータを端末に送出する場合、端末は、データを正確に復号化しない可能性がある。したがって、端末は、ターゲット情報に基づいて第２のRankを決定し、RIを基地局にフィードバックする。基地局は、第２のRankを端末に対応するRankとして最終的に決定し、それにより、端末がデータを正確に復号化できることを確保する。
【００２１】
任意選択で、リソース番号は、リソースプールに含まれるR個のリソースのリソース番号であり、１つのリソースは、１つのリソース番号に対応しており、Rは2以上の整数であり、方法は、
端末により、RRCシグナリングを使用することにより、基地局により送出されたリソースプールを受信するステップを更に含む。
【００２２】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【００２３】
任意選択で、端末により、端末のリソース番号に基づいて情報からターゲット情報を決定するステップは、
端末により、端末のリソース番号に対応する時間周波数リソース上で受信された情報を決定するステップと、
端末により、端末のリソース番号に対応するコードを使用することにより、端末のリソース番号に対応する時間周波数リソース上で受信された情報を逆拡散し、ターゲット情報を取得するステップと
を含み、リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【００２４】
任意選択で、リソース番号は、リソースプールに含まれるR個のリソースのリソース番号であり、端末により、指示情報に基づいて端末のリソース番号を決定するステップは、
端末により、指示情報に含まれるR個のビットに基づいて端末のリソース番号を決定するステップであり、R個のビット内の第rのビットは、R個のリソース内の第rのリソースを端末に割り当てるか否かを示すために使用され、Rは2以上の整数であり、rは1以上且つR以下の整数である、ステップ、又は
端末により、指示情報に含まれる3ビットの値に基づいて端末のリソース番号を決定するステップ、又は
端末により、指示情報に含まれる4ビットの値に基づいて端末のリソース番号を決定するステップを含む。
【００２５】
第３の態様によれば、CQI測定装置が提供される。装置は、
端末のリソース番号に対応する時間周波数リソースのそれぞれの上のターゲットCSI-RSを決定するように構成された第１の決定ユニットであり、ターゲットCSI-RSは、プリコーディングされたCSI-RSであり、時間周波数リソースは、CSI-RS又はターゲットCSI-RSを送信するために使用されるリソースエレメントである、第１の決定ユニットと、
リソース番号に対応する時間周波数リソースのそれぞれの上のターゲットCSI-RSを端末に時間周波数リソース上で送出するように構成された第１の送出ユニットと、
端末のリソース番号を示すために使用される指示情報を端末に送出するように構成された第２の送出ユニットと、
端末により送出され且つチャネル品質を示すために使用されるCQIを受信するように構成された第１の受信ユニットと
を含む。
【００２６】
任意選択で、第２の送出ユニットは、
指示情報を端末にPDCCH上で送出するように具体的に構成され、異なるサブフレームにおいて第２の送出ユニットにより端末にPDCCH上で送出された指示情報により示されるリソース番号は、同じであるか、或いは異なる。
【００２７】
端末は、基地局によりPDCCH上で送出された情報を迅速に決定し得る。したがって、基地局は、各サブフレームにおいて指示情報を送出してもよく、それにより、端末は、基地局により端末に割り当てられたリソース番号に基づいてチャネル品質を測定する。
【００２８】
任意選択で、装置は、第２の受信ユニットと、第２の決定ユニットと、プリコーディングユニットと、第３の送出ユニットとを更に含み、
第２の受信ユニットは、端末により送出されたRIを受信するように構成され、RIは、指示情報により示されるリソース番号に対応する時間周波数リソースのそれぞれの上で受信された情報に基づいて端末により測定された第２のRankに基づいて、端末により決定されたRIであり、
第２の決定ユニットは、RIに基づいて第２のRankを決定するように構成され、
プリコーディングユニットは、端末に対応するプリコーディング行列を使用することにより、端末に送出されるデータストリームをプリコーディングするように構成され、
第３の送出ユニットは、データポート上でデータストリームを送出するように構成され、データポートの数は、第１のRankの値と同じであり、データストリームのレイヤ数は、第２のRankの値と同じであり、第２のRankは、第１のRank以下であり、第１のRankは、端末について基地局により決定された初期Rankである。
【００２９】
RankとCQIとの間の高い相関のため、端末がCQIを再びフィードバックした後に、基地局が依然として第１のRankに基づいてデータを端末に送出する場合、端末は、データを正確に復号化しない可能性がある。したがって、端末は、ターゲット情報に基づいて第２のRankを決定し、RIを基地局にフィードバックする。基地局は、第２のRankを端末に対応するRankとして最終的に決定し、それにより、端末がデータを正確に復号化できることを確保する。
【００３０】
任意選択で、装置は、第４の送出ユニットを更に含み、
第４の送出ユニットは、RRCシグナリングを使用することにより、リソースプールを端末に送出するように構成され、リソース番号は、リソースプールに含まれるR個のリソースのリソース番号であり、１つのリソースは、１つのリソース番号に対応しており、Rは2以上の整数である。
【００３１】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【００３２】
任意選択で、第１の決定ユニットは、
リソース番号、リソース番号に対応するCSI-RS及びプリコーディング行列に基づいて、リソース番号に対応する時間周波数リソースのそれぞれの上で送出されるターゲットCSI-RSを決定するように具体的に構成される。
【００３３】
任意選択で、第１の決定ユニットは、
端末の第１のRank及びプリコーディング行列を決定し、
第１のRankに基づいてリソース番号を端末に割り当て、リソース番号の数は、第１のRankの値と同じであり、
リソース番号に対応するコードを使用することにより、リソース番号に対応するCSI-RSに対してスペクトル拡散を実行し、プリコーディング行列を使用することにより、スペクトル拡散後に取得された各CSI-RSをプリコーディングし、リソース番号に対応する時間周波数リソースのそれぞれの上で送出されるターゲットCSI-RSを取得するように具体的に構成され、
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【００３４】
任意選択で、リソース番号は、リソースプールに含まれるR個のリソースのリソース番号であり、指示情報は、R個のビットを含み、R個のビット内の第rのビットは、R個のリソース内の第rのリソースを端末に割り当てるか否かを示すために使用され、Rは2以上の整数であり、rは1以上且つR以下の整数であるか、或いは指示情報は、3ビットを含み、指示情報により示されるリソース番号は、3ビットの値が異なるときに異なるか、或いは指示情報は、4ビットを含み、指示情報により示されるリソース番号は、4ビットの値が異なるときに異なる。
【００３５】
第４の態様によれば、CQI測定装置が提供される。装置は、
基地局により各時間周波数リソース上で送出された情報を受信するように構成された第１の受信ユニットと、
基地局により送出され且つ端末のリソース番号を端末に示すために使用される指示情報を受信するように構成された第２の受信ユニットと、
指示情報に基づいて端末のリソース番号を決定するように構成された第１の決定ユニットと、
端末のリソース番号に基づいて情報からターゲット情報を決定するように構成された第２の決定ユニットであり、ターゲット情報は、端末のリソース番号に対応する時間周波数リソース上で基地局により端末に送出された受信情報であり、時間周波数リソースは、CSI-RS又はターゲットCSI-RSを送信するために使用されるリソースエレメントであり、ターゲットCSI-RSは、プリコーディングされたCSI-RSである、第２の決定ユニットと、
ターゲット情報に基づいてチャネル品質を測定し、測定されたチャネル品質に基づいてCQIを決定するように構成された第１の実行ユニットと、
CQIを基地局に送出するように構成された第１の送出ユニットと
を含む。
【００３６】
任意選択で、第２の受信ユニットは、
基地局により送出された指示情報をPDCCH上で受信するように具体的に構成され、基地局により送出され且つ異なるサブフレームにおいて第２の受信ユニットによりPDCCH上で受信された指示情報により示されるリソース番号は、同じであるか、或いは異なる。
【００３７】
端末は、基地局によりPDCCH上で送出された情報を迅速に決定し得る。したがって、基地局は、各サブフレームにおいて指示情報を送出してもよく、それにより、端末は、基地局により端末に割り当てられたリソース番号に基づいてチャネル品質を測定する。
【００３８】
任意選択で、装置は、第３の決定ユニットと、第２の実行ユニットと、第２の送出ユニットとを更に含み、
第３の決定ユニットは、リソース番号の数が第１のRankの値であると決定するように構成され、第１のRankは、端末について基地局により決定された初期Rankであり、
第２の実行ユニットは、ターゲット情報及び第１のRankに基づいて第２のRankを測定し、測定された第２のRankに基づいてRIを決定するように構成され、RIに対応する第２のRankは、第１のRank以下であり、
第２の送出ユニットは、RIを基地局に送出するように構成される。
【００３９】
RankとCQIとの間の高い相関のため、端末がCQIを再びフィードバックした後に、基地局が依然として第１のRankに基づいてデータを端末に送出する場合、端末は、データを正確に復号化しない可能性がある。したがって、端末は、ターゲット情報に基づいて第２のRankを決定し、RIを基地局にフィードバックする。基地局は、第２のRankを端末に対応するRankとして最終的に決定し、それにより、端末がデータを正確に復号化できることを確保する。
【００４０】
任意選択で、装置は、
RRCシグナリングを使用することにより、基地局により送出されたリソースプールを受信するように構成された第３の受信ユニットであり、リソース番号は、リソースプールに含まれるR個のリソースのリソース番号であり、１つのリソースは、１つのリソース番号に対応しており、Rは2以上の整数である、第３の受信ユニットを更に含む。
【００４１】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【００４２】
任意選択で、第２の決定ユニットは、
端末のリソース番号に対応する時間周波数リソース上で受信された情報を決定し、
端末のリソース番号に対応するコードを使用することにより、端末のリソース番号に対応する時間周波数リソース上で受信された情報を逆拡散し、ターゲット情報を取得するように具体的に構成され、
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【００４３】
任意選択で、第１の決定ユニットは、
指示情報に含まれるR個のビットに基づいて端末のリソース番号を決定し、R個のビット内の第rのビットは、R個のリソース内の第rのリソースを端末に割り当てるか否かを示すために使用され、Rは2以上の整数であり、rは1以上且つR以下の整数であるか、或いは
指示情報に含まれる3ビットの値に基づいて端末のリソース番号を決定するか、或いは
指示情報に含まれる4ビットの値に基づいて端末のリソース番号を決定するように具体的に構成される。
【００４４】
第５の態様によれば、CQI測定装置が提供される。装置は、メモリと、プロセッサと、送信機と、受信機とを含み、
メモリは、コードを記憶するように構成され、プロセッサは、コードに基づいて以下の動作、すなわち、
端末のリソース番号に対応する時間周波数リソースのそれぞれの上のターゲットCSI-RSを決定する動作であり、ターゲットCSI-RSは、プリコーディングされたCSI-RSであり、時間周波数リソースは、CSI-RS又はターゲットCSI-RSを送信するために使用されるリソースエレメントである、動作を実行し、
送信機は、リソース番号に対応する時間周波数リソースのそれぞれの上のターゲットCSI-RSを端末に時間周波数リソース上で送出するように構成され、
送信機は、端末のリソース番号を示すために使用される指示情報を端末に送出するように更に構成され、
受信機は、端末により送出され且つチャネル品質を示すために使用されるCQIを受信するように構成される。
【００４５】
任意選択で、送信機は、
指示情報を端末にPDCCH上で送出するように具体的に構成され、異なるサブフレームにおいて送信機により端末にPDCCH上で送出された指示情報により示されるリソース番号は、同じであるか、或いは異なる。
【００４６】
端末は、基地局によりPDCCH上で送出された情報を迅速に決定し得る。したがって、基地局は、各サブフレームにおいて指示情報を送出してもよく、それにより、端末は、基地局により端末に割り当てられたリソース番号に基づいてチャネル品質を測定する。
【００４７】
任意選択で、受信機は、端末により送出されたRIを受信するように更に構成され、RIは、指示情報により示されるリソース番号に対応する時間周波数リソースのそれぞれの上で受信された情報に基づいて端末により測定された第２のRankに基づいて、端末により決定されたRIであり、
プロセッサは、RIに基づいて第２のRankを決定するように更に構成され、
プロセッサは、端末に対応するプリコーディング行列を使用することにより、端末に送出されるデータストリームをプリコーディングするように更に構成され、
送信機は、データポート上でデータストリームを送出するように更に構成され、データポートの数は、第１のRankの値と同じであり、データストリームのレイヤ数は、第２のRankの値と同じであり、第２のRankは、第１のRank以下であり、第１のRankは、端末について基地局により決定された初期Rankである。
【００４８】
RankとCQIとの間の高い相関のため、端末がCQIを再びフィードバックした後に、基地局が依然として第１のRankに基づいてデータを端末に送出する場合、端末は、データを正確に復号化しない可能性がある。したがって、端末は、ターゲット情報に基づいて第２のRankを決定し、RIを基地局にフィードバックする。基地局は、第２のRankを端末に対応するRankとして最終的に決定し、それにより、端末がデータを正確に復号化できることを確保する。
【００４９】
任意選択で、送信機は、
RRCシグナリングを使用することにより、リソースプールを端末に送出するように更に構成され、リソース番号は、リソースプールに含まれるR個のリソースのリソース番号であり、１つのリソースは、１つのリソース番号に対応しており、Rは2以上の整数である。
【００５０】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【００５１】
任意選択で、プロセッサは、
リソース番号、リソース番号に対応するCSI-RS及びプリコーディング行列に基づいて、リソース番号に対応する時間周波数リソースのそれぞれの上で送出されるターゲットCSI-RSを決定するように具体的に構成される。
【００５２】
任意選択で、プロセッサは、
端末の第１のRank及びプリコーディング行列を決定し、
第１のRankに基づいてリソース番号を端末に割り当て、リソース番号の数は、第１のRankの値と同じであり、
リソース番号に対応するコードを使用することにより、リソース番号に対応するCSI-RSに対してスペクトル拡散を実行し、プリコーディング行列を使用することにより、スペクトル拡散後に取得された各CSI-RSをプリコーディングし、リソース番号に対応する時間周波数リソースのそれぞれの上で送出されるターゲットCSI-RSを取得するように具体的に構成され、
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【００５３】
任意選択で、リソース番号は、リソースプールに含まれるR個のリソースのリソース番号であり、指示情報は、R個のビットを含み、R個のビット内の第rのビットは、R個のリソース内の第rのリソースを端末に割り当てるか否かを示すために使用され、Rは2以上の整数であり、rは1以上且つR以下の整数であるか、或いは指示情報は、3ビットを含み、指示情報により示されるリソース番号は、3ビットの値が異なるときに異なるか、或いは指示情報は、4ビットを含み、指示情報により示されるリソース番号は、4ビットの値が異なるときに異なる。
【００５４】
第６の態様によれば、CQI測定装置が提供される。装置は、受信機と、メモリと、プロセッサと、送信機とを含み、
受信機は、基地局により各時間周波数リソース上で送出された情報を受信するように構成され、
受信機は、基地局により送出され且つ端末のリソース番号を端末に示すために使用される指示情報を受信するように更に構成され、
メモリは、コードを記憶するように構成され、プロセッサは、コードに基づいて以下の動作、すなわち、
指示情報に基づいて端末のリソース番号を決定する動作と、
端末のリソース番号に基づいて情報からターゲット情報を決定する動作であり、ターゲット情報は、端末のリソース番号に対応する時間周波数リソース上で基地局により端末に送出された受信情報であり、時間周波数リソースは、CSI-RS又はターゲットCSI-RSを送信するために使用されるリソースエレメントであり、ターゲットCSI-RSは、プリコーディングされたCSI-RSである、動作と、
ターゲット情報に基づいてチャネル品質を測定し、測定されたチャネル品質に基づいてCQIを決定する動作とを実行し、
送信機は、CQIを基地局に送出するように構成される。
【００５５】
任意選択で、受信機は、
基地局により送出された指示情報をPDCCH上で受信するように具体的に構成され、基地局により送出され且つ異なるサブフレームにおいて受信機によりPDCCH上で受信された指示情報により示されるリソース番号は、同じであるか、或いは異なる。
【００５６】
端末は、基地局によりPDCCH上で送出された情報を迅速に決定し得る。したがって、基地局は、各サブフレームにおいて指示情報を送出してもよく、それにより、端末は、基地局により端末に割り当てられたリソース番号に基づいてチャネル品質を測定する。
【００５７】
任意選択で、プロセッサは、リソース番号の数が第１のRankの値であると決定するように更に構成され、第１のRankは、端末について基地局により決定された初期Rankであり、
プロセッサは、ターゲット情報及び第１のRankに基づいて第２のRankを測定し、測定された第２のRankに基づいてRIを決定するように更に構成され、RIに対応する第２のRankは、第１のRank以下であり、
送信機は、RIを基地局に送出するように更に構成される。
【００５８】
RankとCQIとの間の高い相関のため、端末がCQIを再びフィードバックした後に、基地局が依然として第１のRankに基づいてデータを端末に送出する場合、端末は、データを正確に復号化しない可能性がある。したがって、端末は、ターゲット情報に基づいて第２のRankを決定し、RIを基地局にフィードバックする。基地局は、第２のRankを端末に対応するRankとして最終的に決定し、それにより、端末がデータを正確に復号化できることを確保する。
【００５９】
任意選択で、受信機は、
RRCシグナリングを使用することにより、基地局により送出されたリソースプールを受信するように更に構成され、リソース番号は、リソースプールに含まれるR個のリソースのリソース番号であり、１つのリソースは、１つのリソース番号に対応しており、Rは2以上の整数である。
【００６０】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【００６１】
任意選択で、プロセッサは、
端末のリソース番号に対応する時間周波数リソース上で受信された情報を決定し、
端末のリソース番号に対応するコードを使用することにより、端末のリソース番号に対応する時間周波数リソース上で受信された情報を逆拡散し、ターゲット情報を取得するように具体的に構成され、
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【００６２】
任意選択で、プロセッサは、
指示情報に含まれるR個のビットに基づいて端末のリソース番号を決定し、R個のビット内の第rのビットは、R個のリソース内の第rのリソースを端末に割り当てるか否かを示すために使用され、Rは2以上の整数であり、rは1以上且つR以下の整数であるか、或いは
指示情報に含まれる3ビットの値に基づいて端末のリソース番号を決定するか、或いは
指示情報に含まれる4ビットの値に基づいて端末のリソース番号を決定するように具体的に構成される。
【００６３】
本発明の実施例において提供される方法及び装置によれば、基地局は、端末に割り当てられたリソース番号を端末に動的に示す。全ての時間周波数リソース上で受信された情報に基づいてCQIを測定した後に、全ての測定されたCQIを基地局にフィードバックする代わりに、基地局により示されたリソース番号を受信した後に、端末は、リソース番号に基づいて、各時間周波数上で受信された情報からターゲット情報を決定し、ターゲット情報に基づいてCQIを測定し、CQIを基地局にフィードバックする。したがって、端末のリソース消費がかなり低減される。
【図面の簡単な説明】
【００６４】
本発明の実施例又は従来技術における技術的解決策をより明確に説明するために、以下に、実施例又は従来技術を説明するために必要な添付図面について簡単に説明する。明らかに、以下の説明における添付図面は、本発明の単にいくつかの実施例を示しているに過ぎず、当業者は、創造的取り組みなしに、依然としてこれらの添付図面から他の図面を導き得る。
【図１Ａ】本発明の実施例によるCQI測定方法のフローチャートである。
【図１Ｂ】本発明の実施例によるCQI測定方法のフローチャートである。
【図２】本発明の実施例によるPRBの概略構成図である。
【図３】本発明の実施例によるターゲットCSI-RS決定方法のフローチャートである。
【図４】本発明の実施例によるCQI測定装置の概略構成図である。
【図５】本発明の実施例による他のCQI測定装置の概略構成図である。
【図６】本発明の実施例による他のCQI測定装置の概略構成図である。
【図７】本発明の実施例による他のCQI測定装置の概略構成図である。
【図８】本発明の実施例による他のCQI測定装置の概略構成図である。
【図９】本発明の実施例による他のCQI測定装置の概略構成図である。
【発明を実施するための形態】
【００６５】
以下に、本発明の実施例における添付図面を参照して本発明の実施例における技術的解決策を明確且つ完全に説明する。明らかに、説明する実施例は、本発明の実施例の全てではなく、単なる一部である。創造的取り組みなしに本発明の実施例に基づいて当業者により取得される全ての他の実施例は、本発明の保護範囲内に入るものとする。
【００６６】
本発明の実施例において提供される技術的解決策を当業者により明確に理解してもらうために、この出願に関する従来技術について、まず簡単に説明する。
【００６７】
MIMOシナリオでは、基地局は、複数の端末のそれぞれに対応するCSI-RSを端末に送出する。複数の端末のそれぞれは、基地局により送出されたCSI-RSを受信し、SU-MIMOの仮定及びCSI-RSに基づいてチャネル推定を実行し、推定を通じて取得されたPMI、初期RI（RIを以下のRIと区別するため、ここではRIは初期RIと呼ばれる）及び初期CQI（CQIを以下のCQIと区別するため、ここではCQIは初期CQIと呼ばれる）を基地局にフィードバックする。複数の端末により送出されたPMI、初期RI及び初期CQIを受信した後に、基地局は、MMOシステムが最大スループット又は最小干渉度を有するという原理に基づいて、複数の端末の中のN個の端末を使用することによりMU-MIMOを形成するか否かを決定する。そうである場合、基地局は、N個の端末によりフィードバックされたPMI、初期RI及び初期CQIに基づいて、N個の端末の間の干渉を除去又は低減する原理を使用することにより、端末についてN個の端末のそれぞれに対応するプリコーディング行列及びRankを再決定する。この場合、Rankは、以下の第１のRankである。本発明の実施例において提供される方法は、このシナリオに適用されてもよく、方法がこのシナリオに適用される例が、説明のために以下で使用される。しかし、本発明の実施例において提供される方法はまた、他のシナリオにも適用されてもよい点に留意すべきである。例えば、基地局がMU-MIMOを形成しないことを決定したとき、方法は、依然として基地局と端末との間に適用されてもよい。したがって、本発明の実施例における端末は、MU-MIMOを形成する複数の端末のうちいずれか１つでもよく、或いは他の端末でもよい。
【００６８】
本発明の実施例において提供される方法は、主にLTEシステム及びLTE-Advancedシステムに適用され、主に下りリンクMIMOシナリオに適用される。
【００６９】
本発明の実施例は、CQI測定方法を提供する。図１Ａ及び図１Ｂに示すように、方法は以下のステップを含む。
【００７０】
101.基地局は、端末のリソース番号に対応する時間周波数リソースのそれぞれの上のターゲットCSI-RSを決定する。
【００７１】
ターゲットCSI-RSは、プリコーディングされたCSI-RSであり、時間周波数リソースは、CSI-RS又はターゲットCSI-RSを送信するために使用されるリソースエレメントである。
【００７２】
具体的には、ターゲットCSI-RSは、リソース番号に対応するCSI-RSが端末に対応するプリコーディング行列を使用することによりプリコーディングされた後に取得されたCSI-RSでもよい。端末に対応するプリコーディング行列は、基地局により決定されてもよい。リソース番号に対応するCSI-RSは、予め設定されたCSI-RSでもよく、他の方式で基地局により決定されたCSI-RSでもよい。しかし、CSI-RSは、基地局及び端末にとって周知である点に留意すべきである。
【００７３】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【００７４】
ターゲットCSI-RSポート番号は、ターゲットCSI-RSポートの番号であり、ターゲットCSI-RSポートの番号は、異なるターゲットCSI-RSポートの間を区別するために使用される。
【００７５】
N個のリソースエレメントと長さがNである１つのコードとの組み合わせは、１つのターゲットCSI-RSポートに対応しているため、リソース番号がターゲットCSI-RSポート番号であるとき、リソース番号は、時間ドメインリソースとコードドメインリソースとの双方を示してもよく、リソース番号が直交行列の行（又は列）番号であるとき、基地局は、異なるリソース番号について異なる時間周波数リソースを予め設定してもよく、或いは異なるリソース番号に対応する時間周波数リソースは、同じ時間ドメインリソースである。
【００７６】
図２に示すように、LTEシステム及びLTE-Advancedシステムにおけるエアインタフェースリソース割り当ての基本単位は、物理リソースブロック（Physical  Resource  Block,  略称PRB）である点に留意すべきである。１つのPRBは、周波数ドメインにおいて12個の連続サブキャリアを含み、時間ドメインにおいて7個の連続直交周波数分割多重（Orthogonal  Frequency  Division  Multiplexing,  略称OFDM）シンボル周期を含む。１つのOFDMシンボル周期及び１つのサブキャリアを含むリソースは、１つのリソースエレメント（Resource  Element,  略称RE）と呼ばれる。１つのPRBに含まれる複数のREの中で、いくつかのREは、データを送信するために使用され、いくつかのREは、参照信号を送信するために使用される。例えば、図２に示すリソースエレメント1（以下ではRE1と呼ばれる）、リソースエレメント2（以下ではRE2と呼ばれる）、リソースエレメント3（以下ではRE3と呼ばれる）及びリソースエレメント4（以下ではRE4と呼ばれる）は、参照信号を送信するために使用される。
【００７７】
リソース番号は、ターゲットCSI-RSポート番号でもよい。例えば、LTE及びLTE-Advanceでは、１つのCSI-RSポートは、２つのRE（又は4個のRE）を占有してもよい。この場合、リソース番号は、２つ（又は4個）のREと長さが2（又は4）である直交コードとの組み合わせでもよい。ターゲットCSI-RSポートの場合もこれと同様である。例えば、図２に記載の例に基づいて、基地局が4個のターゲットCSI-RSポートを有する場合、番号が1であるターゲットCSI-RSポートはRE1及びRE2に対応しており、直交コードの予め規定されたグループにおいて番号がa1である直交コードを使用してもよく、番号が2であるターゲットCSI-RSポートはRE1及びRE2に対応しており、直交コードの予め規定されたグループにおいて番号がa2である直交コードを使用してもよく、番号が3であるターゲットCSI-RSポートはRE3及びRE4に対応しており、直交コードの予め規定されたグループにおいて番号がa1である直交コードを使用してもよく、番号が4であるターゲットCSI-RSポートはRE3及びRE4に対応しており、直交コードの予め規定されたグループにおいて番号がa2である直交コードを使用してもよい。
【００７８】
リソース番号は、直交行列の行（又は列）番号でもよい。リソース番号が直交行列の行（又は列）番号であるとき、直交行列の要素のいずれか２つの行（又は列）は直交する。この場合、直交行列の要素の複数の行（又は列）は同じ時間周波数リソースに対応していてもよく、或いは直交行列の要素の行（又は列）に対応する時間周波数リソースは予め設定されてもよい。図２に示すように、直交行列の第１の列が4個の要素を含む場合、直交行列の第１の列に対応する時間周波数リソースは、RE1、RE2、RE3及びRE4でもよい。直交行列の２の列が4個の要素を含み、直交行列の第２の列に対応する時間周波数リソースもまた、RE1、RE2、RE3及びRE4でもよい。
【００７９】
さらに、リソース番号は、リソースエレメント番号、直交コードの予め規定されたグループにおける直交コードのコード番号、又は予め規定された直交行列の行番号若しくは列番号でもよく、或いはリソースエレメントと直交コードの予め規定されたグループにおける直交コードのコード番号及び／又は予め規定された直交行列の行（若しくは列）番号との組み合わせでもよい。
【００８０】
リソース番号は、リソースエレメント番号でもよい。例えば、リソース番号は、リソースエレメント1、リソースエレメント2、リソースエレメント3及びリソースエレメント4の中の１つ以上のリソースエレメントのリソースエレメント番号でもよい。リソースエレメント番号は、異なるリソースエレメントの間を区別するために使用される。
【００８１】
リソース番号は、直交コードの予め規定されたグループにおける直交コードのコード番号でもよい。この場合、直交コードのグループにおける複数の直交コードは同じ時間周波数リソースに対応していてもよく、或いは指定のコード番号を有する直交コードに対応する時間周波数リソースは予め設定されてもよい。図２に記載の例に基づいて、コード番号Aを有する直交コードが4個の要素を含む場合、コード番号Aを有する直交コードに対応する時間周波数リソースは、RE1、RE2、RE3及びRE4でもよい。コード番号Bを有する直交コードが4個の要素を含み、コード番号Bを有する直交コードに対応する時間周波数リソースもまた、RE1、RE2、RE3及びRE4でもよい。
【００８２】
リソース番号に対応する時間周波数リソースは、リソース番号により示されることができる時間周波数リソースである点に留意すべきである。端末のリソース番号は、リソースプールに基づく基地局による割り当てを通じて取得されてもよく、リソースプールは、端末及び基地局の双方で設定される。
【００８３】
任意選択で、リソース番号は、リソースプールに含まれるR個のリソースのリソース番号であり、１つのリソースは、１つのリソース番号に対応しており、Rは2以上の整数である。リソースプールは、基地局により規定されたリソースプールである。基地局は、無線リソース制御（Radio  Resource  Control,  略称RRC）シグナリングを使用することにより、リソースプールを端末に送出してもよい。対応して、端末は、RRCシグナリングを使用することにより、リソースプールを受信してもよい。
【００８４】
具体的には、リソースプールを規定した後に、基地局は、静的／半静的なシグナリング（例えば、RRCシグナリング）を使用することにより、リソースプールを端末に示してもよい。基地局は、リソースプール内のリソース番号に対応する時間周波数リソース上でデータを送出しない。リソースプールを受信した後に、端末は、リソースプール内の全てのリソース番号が１つ以上の端末に割り当てられると考え、それにより、端末は干渉を決定する。
【００８５】
任意選択で、具体的な実現方式では、ステップ101は、基地局により、リソース番号、リソース番号に対応するCSI-RS及びプリコーディング行列に基づいて、リソース番号に対応する時間周波数リソースのそれぞれの上で送出されるターゲットCSI-RSを決定することを含んでもよい。
【００８６】
任意選択で、図３に示すように、基地局により、リソース番号、リソース番号に対応するCSI-RS及びプリコーディング行列に基づいて、リソース番号に対応する時間周波数リソースのそれぞれの上で送出されるターゲットCSI-RSを決定するプロセスは、以下のステップ301〜303を使用することにより具体的に実現されてもよい。
【００８７】
301.基地局は、端末の第１のRank及びプリコーディング行列を決定する。
【００８８】
端末がMU-MIMOを形成する複数の端末のうち１つであるとき、基地局により決定され且つMU-MIMOを形成する複数の端末のそれぞれに対応している第１のRank及びプリコーディング行列は、複数の端末の間の干渉を比較的小さくすることができる。
【００８９】
302.基地局は、第１のRankに基づいてリソース番号を端末に割り当て、リソース番号の数は、第１のRankの値と同じである。
【００９０】
303.基地局は、リソース番号に対応するコードを使用することにより、リソース番号に対応するCSI-RSに対してスペクトル拡散を実行し、プリコーディング行列を使用することにより、スペクトル拡散後に取得された各CSI-RSをプリコーディングし、リソース番号に対応する時間周波数リソースのそれぞれの上で送出されるターゲットCSI-RSを取得する。
【００９１】
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【００９２】
具体的には、基地局により異なるPRB上で送信されるCSI-RSは、CSI-RS系列において異なるシンボル又は同じシンボルでもよい。
【００９３】
例１では、端末に対応する第１のRankは1である。この場合、基地局により端末に割り当てられたターゲットCSI-RSポート番号が1である場合、図２に記載の例に基づいて、ターゲットCSI-RSポート1は２つのリソースエレメントに対応しており、２つのリソースエレメントはRE1及びRE2であり、ターゲットCSI-RSポート1もまた、長さが2であるコードに対応している。長さが2であるコードを使用することにより、リソース番号に対応するCSI-RSに対してスペクトル拡散が実行された後に、RE1上のCSI-RSはCSI-RS1であり、RE2上のCSI-RSはCSI-RS2である。基地局が合計で２つのアンテナポートを有し、端末に対応するプリコーディング行列が
【数１】
2019513317.tif 000003
である場合、プリコーディング行列は、RE1上の参照信号CSI-RS1により乗算されてもよく（乗算結果は、RE1上のターゲットCSI-RSである）、基地局は、アンテナポート1及びアンテナポート2を使用することにより、RE1上の乗算結果を送信し、また、プリコーディング行列は、RE2上の参照信号CSI-RS2により乗算されてもよく（乗算結果は、RE2上のターゲットCSI-RSである）、基地局は、アンテナポート1及びアンテナポート2を使用することにより、RE2上の乗算結果を送信する。CSI-RS1及びCSI-RS2の双方は、スペクトル拡散がCSI-RSに基づいて実行された後に取得されるため、CSI-RS1及びCSI-RS2は、CSI-RSの基本的に異なる形式である。ターゲットCSI-RSは、リソース番号に対応するCSI-RSによりプリコーディング行列を乗算した結果であり、基地局によりRE1上で送出されるデータ及び基地局によりRE2上で送出されるデータは、ターゲットCSI-RSの基本的に異なる形式であることが習得できる。
【００９４】
全明細書の理解を助けるために、例１は、リソース番号がターゲットCSI-RSポート番号であるとき、リソース番号に対応するターゲットCSI-RSを決定する例示的なプロセスを単に示している。リソース番号が直交行列の行番号又は列番号であるとき、ターゲットCSI-RSは、従来技術における関係する方法を使用することにより決定されてもよい。
【００９５】
102.基地局は、リソース番号に対応する時間周波数リソースのそれぞれの上のターゲットCSI-RSを端末に時間周波数リソース上で送出する。
【００９６】
具体的には、例１に基づいて、基地局が２つのアンテナポートを有する場合、H1・CSI-RS1は、基地局のアンテナポート1を使用することによりRE1上で送出され、H1・CSI-RS2は、基地局のアンテナポート1を使用することによりRE2上で送出され、H2・CSI-RS1は、基地局のアンテナポート2を使用することによりRE1上で送出され、H2・CSI-RS2は、基地局のアンテナポート2を使用することによりRE2上で送出される。
【００９７】
103.基地局は、指示情報を端末に送出し、指示情報は、リソース番号を端末に示すために使用される。
【００９８】
任意選択で、具体的な実現方式では、ステップ103は、基地局により、指示情報を端末に物理下りリンク制御チャネル（Physical  Downlink  Control  Channel,  略称PDCCH）上で送出することを含み、異なるサブフレームにおいて基地局により端末にPDCCH上で送出された指示情報により示されるリソース番号は、同じであるか、或いは異なる。
【００９９】
端末は、基地局によりPDCCH上で送出された情報を迅速に決定し得る。したがって、基地局は、各サブフレームにおいて指示情報を送出してもよく、それにより、端末は、基地局により端末に割り当てられたリソース番号に基づいてチャネル品質を測定する。
【０１００】
104.端末は、基地局により各時間周波数リソース上で送出された情報を受信する。
【０１０１】
105.端末は、基地局により送出された指示情報を受信する。
【０１０２】
任意選択で、具体的な実現方式では、ステップ105は、端末により、基地局により送出された指示情報をPDCCH上で受信することを含み、基地局により送出され且つ異なるサブフレームにおいて端末によりPDCCH上で受信された指示情報により示されるリソース番号は、同じであるか、或いは異なる。
【０１０３】
106.端末は、指示情報に基づいて端末のリソース番号を決定する。
【０１０４】
107.端末は、端末のリソース番号に基づいて情報からターゲット情報を決定し、ターゲット情報は、端末のリソース番号に対応する時間周波数リソース上で基地局により端末に送出された受信情報である。
【０１０５】
具体的には、例１に基づいて、ターゲット情報は、RE1上で受信された情報と、RE2上で受信された情報とを含む。RE1上で受信された情報は、チャネルに含まれるH1・CSI-RS1及びH2・CSI-RS1を重畳することにより取得され、RE2上で受信された情報は、チャネルに含まれるH1・CSI-RS2及びH2・CSI-RS2を重畳することにより取得される。
【０１０６】
任意選択で、具体的な実現方式では、ステップ107は、端末により、端末のリソース番号に対応する時間周波数リソース上で受信された情報を決定し、端末により、端末のリソース番号に対応するコードを使用することにより、端末のリソース番号に対応する時間周波数リソース上で受信された情報を逆拡散し、ターゲット情報を取得することを含む。
【０１０７】
リソース番号に対応するコードの説明については、前述の説明を参照する。
【０１０８】
基地局は、端末のリソース番号に対応する時間周波数リソースのそれぞれの上で送出されるターゲットCSI-RSを決定するプロセスにおいて、端末のリソース番号に対応するCSI-RSに対してスペクトル拡散を実行するため、端末が端末のリソース番号に対応する時間周波数リソース上で情報を受信した後に、端末は、ターゲット情報を取得するために情報を逆拡散する必要がある点に留意すべきである。
【０１０９】
108.端末は、ターゲット情報に基づいてチャネル品質を測定し、測定されたチャネル品質に基づいてCQIを決定する。
【０１１０】
端末は、ターゲット情報に基づいてCQIを測定するプロセスにおいて、干渉を決定する必要がある。具体的には、端末は、各時間周波数リソース上で送出された情報からターゲット情報を減算し、残りの情報を、MU-MIMOにおける端末以外の端末からの干渉と周辺セルユーザからの干渉との和として考慮してもよい。
【０１１１】
109.端末は、CQIを基地局に送出する。
【０１１２】
110.基地局は、端末により送出されたCQIを受信する。
【０１１３】
CQIは、チャネル品質を示すために使用される。
【０１１４】
本発明のこの実施例において提供される方法によれば、基地局は、端末に割り当てられたリソース番号を端末に動的に示す。全ての時間周波数リソース上で受信された情報に基づいてCQIを測定した後に、全ての測定されたCQIを基地局にフィードバックする代わりに、基地局により示されたリソース番号を受信した後に、端末は、リソース番号に基づいて、各時間周波数上で受信された情報からターゲット情報を決定し、ターゲット情報に基づいてCQIを測定し、CQIを基地局にフィードバックする。したがって、端末のリソース消費がかなり低減される。
【０１１５】
任意選択で、ステップ110の後に、方法は以下のステップを更に含む。
【０１１６】
(11)基地局は、CQIに基づいて、端末に対応する変調及び符号化ポリシーを決定し、変調及び符号化ポリシーを端末に送出し、端末は、基地局により送出された変調及び符号化ポリシーを受信する。
【０１１７】
(12)端末は、変調及び符号化ポリシーに基づいて、基地局により送出されたデータを復調及び復号化するために使用される復調及び復号化ポリシーを決定する。
【０１１８】
具体的には、CQIに基づいて変調及び符号化ポリシーを決定するための方法については、従来技術を参照する。
【０１１９】
基地局により端末に送出される変調及び符号化ポリシーは、制御シグナリングを使用することにより送出されてもよく、基地局により送出されるデータは、変調及び符号化ポリシーにより変調及び符号化されたデータである。
【０１２０】
任意選択で、基地局により、指示情報を端末にPDCCH上で送出することは、基地局により、上りリンクスケジューリング指示情報を端末に送出し、上りリンクスケジューリング指示情報は、指示情報を含むこと、又は基地局により、下りリンクスケジューリング指示情報を端末に送出し、下りリンクスケジューリング指示情報は、指示情報を含むことを含む。
【０１２１】
対応して、端末により、基地局により送出された指示情報をPDCCH上で受信することは、端末により、基地局により送出された上りリンクスケジューリング指示情報を受信し、上りリンクスケジューリング指示情報は、指示情報を含むこと、又は端末により、基地局により送出された下りリンクスケジューリング指示情報を受信し、下りリンクスケジューリング指示情報は、指示情報を含むことを含む。
【０１２２】
任意選択で、下りリンクスケジューリング指示情報が指示情報を含むとき、方法は以下のステップを更に含む。
【０１２３】
(21)基地局は、第Mのサブフレームにおいて指示情報、ターゲットCSI-RS及び下りリンクデータリソース割り当て方式を端末に送出し、それにより、端末は、第(M+K)のサブフレームにおいて基地局により送出されたデータのチャネル品質を測定し、M及びKの双方は1以上の整数である。
【０１２４】
(22)基地局は、第(M+K)のサブフレームにおいて端末に対応する変調及び符号化ポリシーを端末に送出し、第Mのサブフレームにおいて基地局によりターゲットCSI-RSに割り当てられた物理リソースブロックPRBの数及び位置は、第(M+K)のサブフレームにおいて基地局により送出されるデータチャネルにより占有されるPRBの数及び位置と同じである。
【０１２５】
(23)端末は、基地局により送出された受信した第Mのサブフレームに基づいて、第(M+K)のサブフレームにおいて基地局により送出されたデータのチャネル品質を測定する。
【０１２６】
この任意選択の方法では、ターゲットCSI-RSの帯域幅は、データの帯域幅と一致しており、UEは、ターゲットCSI-RSを測定し、対応する帯域幅内でCQIをフィードバックしてもよく、それにより、上りリンクフィードバックのリソース消費を低減する。
【０１２７】
従来技術では、データリソース割り当て方式並びに変調及び符号化ポリシーは、下りリンクスケジューリング指示情報を使用することにより、制御チャネル上で一緒に配信される。本発明のこの実施例では、基地局が指示情報を下りリンクスケジューリング指示情報に追加するときに、基地局は、端末に割り当てられたリソース番号に基づいて、参照信号が端末に送出される時間周波数リソース位置を決定してもよく、CQIに基づいて変調及び符号化ポリシーを決定する必要がある。したがって、データリソース割り当て方式及び指示情報は、１つのサブフレームにおいて端末にPDCCH上で送出されてもよく、端末の変調及び符号化ポリシーが決定された後に、変調及び符号化ポリシーは、他のサブフレームにおいて端末にPDCCH上で送出される。
【０１２８】
任意選択で、方法は、基地局により、トリガー情報を端末に送出し、トリガー情報は、指示情報により示されるリソース番号に対応する時間周波数リソースのそれぞれの上で受信された情報に基づいてチャネル品質及び／又は第２のRankを測定するように端末をトリガーするために使用され、端末により、基地局により送出されたトリガー情報を受信し、端末により、トリガー情報に基づいてチャネル品質及び／又は第２のRankを測定することを決定することを更に含む。第２のRankの説明については、以下の説明を参照する。
【０１２９】
指示情報（又はトリガー情報）は、上りリンクスケジューリング指示情報に含まれてもよく、或いはトリガー情報（又は指示情報）は、下りリンクスケジューリング指示情報に含まれる点に留意すべきである。明らかに、指示情報及びトリガー情報は、同じメッセージに含まれてもよい。
【０１３０】
任意選択で、リソース番号は、リソースプールに含まれるR個のリソースのリソース番号であり、指示情報は、R個のビットを含み、R個のビット内の第rのビットは、R個のリソース内の第rのリソースを端末に割り当てるか否かを示すために使用され、Rは2以上の整数であり、rは1以上且つR以下の整数であるか、或いは指示情報は、3ビットを含み、指示情報により示されるリソース番号は、3ビットの値が異なるときに異なるか、或いは指示情報は、4ビットを含み、指示情報により示されるリソース番号は、4ビットの値が異なるときに異なる。
【０１３１】
任意選択で、リソース番号は、リソースプールに含まれるR個のリソースのリソース番号であり、具体的な実現方式では、ステップ106は、
端末により、指示情報に含まれるR個のビットに基づいて端末のリソース番号を決定し、R個のビット内の第rのビットは、R個のリソース内の第rのリソースを端末に割り当てるか否かを示すために使用され、Rは2以上の整数であり、rは1以上且つR以下の整数であるか、或いは端末により、指示情報に含まれる3ビットの値に基づいて端末のリソース番号を決定するか、或いは端末により、指示情報に含まれる4ビットの値に基づいて端末のリソース番号を決定することを含む。
【０１３２】
例えば、基地局が4個のターゲットCSI-RSポートを有する場合、4個のCSI-RSポートは、4ビットの値を使用することにより示されてもよい。ビットi（iは0以上且つ3以下の整数である）は、第iのターゲットCSI-RSポートを示す。0001はターゲットCSI-RSポート0を表し、0010はターゲットCSI-RSポート1を表し、1010はターゲットCSI-RSポート3及びターゲットCSI-RSポート1を表す。指示情報に含まれる4ビットが0101であると端末が決定した場合、端末は、端末のリソース番号がターゲットCSI-RSポート0及びターゲットCSI-RSポート2であると決定する。
【０１３３】
この例では、ビットの値が1であるとき、これは、基地局がビットに対応するリソースを端末に割り当てることを示す点に留意すべきである。実際の実現方式では、ビットの値が0であるとき、これはまた、基地局がビットに対応するリソースを端末に割り当てることを示してもよい。さらに、R個のビットのうち１つは、R個のリソースのうち１つを端末に割り当てるか否かを示すために使用されてもよい。具体的には、基地局（又は基地局及び端末）は、どのビットがどのリソースを示すために使用されるかを決定してもよい。
【０１３４】
例えば、基地局が4個のターゲットCSI-RSポートを有する場合、4個のターゲットCSI-RSポートは、3ビットの値を使用することにより示されてもよい。3ビットの異なる値は、異なるターゲットCSI-RSポート番号に対応している。具体的な対応関係については、表１を参照する。表１におけるリソース番号の列の0、1、2及び3は、4個のターゲットCSI-RSポートのポート番号である。１つのポート番号は、１つのターゲットCSI-RSポートに対応している。
【表１】
2019513317.tif 000004
【０１３５】
例えば、基地局が8個のターゲットCSI-RSポートを有する場合、8個のターゲットCSI-RSポートは、4ビットの値を使用することにより示されてもよい。4ビットの異なる値は、異なるターゲットCSI-RSポート番号に対応している。具体的な対応関係については、表２を参照する。表２におけるリソース番号の列の数字0〜7は、8個のターゲットCSI-RSポートのポート番号である。１つのポート番号は、１つのターゲットCSI-RSポートに対応している。
【表２】
2019513317.tif 000005
【０１３６】
任意選択で、方法は以下のステップを更に含む。
【０１３７】
(31)端末は、リソース番号の数が第１のRankの値であると決定し、第１のRankは、端末について基地局により決定された初期Rankである。
【０１３８】
(32)端末は、ターゲット情報及び第１のRankに基づいて第２のRankを測定し、測定された第２のRankに基づいてRIを決定し、RIに対応する第２のRankは、第１のRank以下である。
【０１３９】
(33)端末は、RIを基地局に送出する。
【０１４０】
(34)基地局は、端末により送出されたRIを受信する。
【０１４１】
(35)基地局は、RIに基づいて第２のRankを決定する。
【０１４２】
(36)基地局は、端末に対応するプリコーディング行列を使用することにより、端末に送出されるデータストリームをプリコーディングし、データポート上でデータストリームを送出し、データポートの数は、第１のRankの値と同じであり、データストリームのレイヤ数は、第２のRankの値と同じであり、第２のRankは、第１のRank以下である。
【０１４３】
データポートは、アンテナポートがプリコーディング行列を使用することにより重み付けされた後に取得されたポートである。データポートは、データを送出するために使用される。同じ端末について、端末のターゲットCSI-RSポートに使用されるプリコーディング行列と、アンテナポートを重み付けするために使用されるプリコーディング行列とは、同じプリコーディング行列である。
【０１４４】
前述の方法では、端末がMU-MIMO端末を形成する複数の端末のうち１つであるとき、基地局が複数の端末を使用することによりMU-MIMOを形成することを決定した後に、基地局は、各端末のプリコーディング行列を再決定し、したがって、端末がMU-MIMOを形成する前に端末により報告されたCQIは不正確である。したがって、各端末は、CQIを再びフィードバックする必要がある。しかし、RankとCQIとの間の高い相関のため、CQIが変化した後に、基地局が依然として第１のRankに基づいてデータを端末に送出する場合、端末は、データを正確に復号化しない可能性がある。したがって、本発明のこの実施例では、端末は、ターゲット情報に基づいて第２のRankを更に決定し、RIを基地局にフィードバックする。基地局は、第２のRankを端末に対応するRankとして最終的に決定し、それにより、端末がデータを正確に復号化できることを確保する。しかし、データストリームを端末に送出するときに、基地局は、依然として数が第１のRankの値と同じであるデータポートを使用することによりデータを送出し、データポートに使用されるプリコーディング行列は、ターゲットCSI-RSポートに使用されるプリコーディング行列と同じである。このように、複数の端末の間の干渉の安定性が確保できる。
【０１４５】
具体的には、端末は、指示情報により示されるリソース番号の数に基づいて第１のRIを決定してもよく、リソース番号の数は、第１のRIの値である。
【０１４６】
この場合、端末がターゲット情報に基づいて第２のRankを測定するとき、且つ第１のRankの値が1である（換言すると、指示情報により示されるリソース番号の数が1である）とき、端末に対応するRankの最小値は1であるため、端末が指示情報を受信した後に、端末は、ターゲット情報に基づいてCQIのみを決定してもよく、第２のRankを再決定しない。第１のRankの値が1より大きい（換言すると、指示情報により示されるリソース番号の数が1より大きい）とき、端末が指示情報を受信した後に、端末は、最大値が第１のRankの値であるRankの異なる値（Rankの値は1以上の整数である）に対応するCQIを順次決定し、第２のRankとして、最大スループットレートに対応するRankを最終的に選択し、第２のRankに対応するRI及びCQIを基地局にフィードバックしてもよい。
【０１４７】
以下の複数のシナリオでは、端末により、RIに対応する第２のRank及びCQIを決定するための方法について、簡単に説明する。
【０１４８】
シナリオ1：基地局により端末に割り当てられたリソース番号の数は2である。この場合、端末は、Rank=2及びRank=1のときにCQIを別々に計算し、端末は、Rank=2及びRank=1のときに測定されたスループットレートを比較し、最大スループットレートに対応するRank（すなわち、第２のRank）並びにRankに対応するRI及びCQIを基地局に報告する。
【数２】
2019513317.tif 000006
【０１４９】
端末は、この仮定に基づいて、各データストリームに対応するCQIを計算する。x(0)(i)は第１のデータストリーム内の第iのデータシンボルを表し、x(1)(i)は第２のデータストリーム内の第iのデータシンボルを表し、y(0)(k)は第１のデータポート上で送出される第kのデータシンボルを表し、y(1)(k)は第２のデータポート上で送出される第kのデータシンボルを表し、i及びkの双方は0以上の整数である。
【０１５０】
Rank=1のときに端末がCQIを計算したとき、端末は、LTEシステムにおいて規定された送信ダイバーシチ方式でデータを送出する。具体的には、基地局が１つのデータストリームを端末に割り当てることを仮定すると、２つのデータポート上で送信されるデータは、それぞれ以下の通りである。
【数３】
2019513317.tif 000007
【０１５１】
端末は、この仮定に基づいて、各データストリームに対応するCQIを計算する。x(p)はデータストリーム内の第pのデータシンボルを表し、pは2i又は2i+1に等しく、y(0)(q)は第１のデータポート上で送出される第qのデータシンボルを表し、y(1)(q)は第２のデータポート上で送出される第qのデータシンボルを表し、qは2k又は2k+1に等しく、i及びkの双方は0以上の整数である。
【０１５２】
Rank=1のときに端末がCQIを計算したとき、データストリームが２つのデータポート上で交互に送出されることが仮定されてもよく、すなわち、以下の通りである。
【数４】
2019513317.tif 000008
【０１５３】
端末は、この仮定に基づいて、データストリームに対応するCQIを計算する。x(p)はデータストリーム内の第pのデータシンボルを表し、pは2i又は2i+1に等しく、y(0)(q)は第１のデータポート上で送出される第qのデータシンボルを表し、y(1)(q)は第２のデータポート上で送出される第qのデータシンボルを表し、qは2k又は2k+1に等しく、i及びkの双方は0以上の整数である。
【０１５４】
シナリオ2：基地局により端末に割り当てられたリソース番号の数は3である。この場合、端末は、Rank=3、Rank=2及びRank=1のときにCQIを別々に計算し、端末は、Rank=3、Rank=2及びRank=1のときに測定されたスループットレートを比較し、最大スループットレートに対応するRank（すなわち、第２のRank）並びにRankに対応するRI及びCQIを基地局に報告する。
【０１５５】
Rank=3のときに端末がCQIを計算したとき、基地局が２つのデータストリームを端末に割り当て、第１のデータストリームが第１のデータポート及び第２のデータポート上で別々に送信され、第２のデータストリームが第３のデータポート上で送信されることを仮定すると、基地局により各データポート上で送信されるデータは以下の通りである。
【数５】
2019513317.tif 000009
【０１５６】
端末は、この仮定に基づいて、各データストリームに対応するCQIを計算する。x(0)(2i)は第１のデータストリーム内の第(2i)のデータシンボルを表し、x(1)(i)は第２のデータストリーム内の第iのデータシンボルを表し、x(0)(2i+1)は第１のデータストリーム内の第(2i+1)のデータシンボルを表し、y(p)(k)は第(p+1)のデータポート上で送出される第kのデータシンボルを表し、i及びkの双方は0以上の整数である。
【０１５７】
Rank=2のときに端末がCQIを計算したとき、基地局が２つのデータストリームを端末に割り当て、第１のデータストリームが第１のデータポート上で送信され、第２のデータストリーム及び第３のデータストリームが第２のデータポート及び第３のデータポート上で交互に送信されることを仮定すると、基地局により３つのデータポートのそれぞれの上で送出される第(2k)のデータシンボルは以下の通りである（kは1以上の整数である）。
【数６】
2019513317.tif 000010
【０１５８】
基地局により３つのデータポートのそれぞれの上で送出される第(2k+1)のデータシンボルは以下の通りである。
【数７】
2019513317.tif 000011
【０１５９】
端末は、この仮定に基づいて、２つのデータストリームに対応するCQIを計算する。x(p)(2i)は第(p+1)のデータストリーム内の第(2i)のデータシンボルを表し、x(p)(2i+1)は第(p+1)のデータストリーム内の第(2i+1)のデータシンボルを表し、pは0又は1であり、y(q)(2k)は第(q+1)のデータポート上で送出される第(2k)のデータシンボルを表し、y(q)(2k+1)は第(q+1)のデータポート上で送出される第(2k+1)のデータシンボルを表し、qは0、1又は2であり、iは0以上の整数である。
【０１６０】
Rank=1のときに端末がCQIを計算したとき、基地局が１つのデータストリームを端末に割り当て、データストリームが３つのデータポート上で交互に送信されることを仮定すると、基地局により各データポート上で送出される第(2k)のデータは以下の通りである。
【数８】
2019513317.tif 000012
【０１６１】
端末は、この仮定に基づいて、各データストリームに対応するCQIを計算する。x(p)はデータストリーム内の第pのデータシンボルを表し、pは3i、3i+1又は3i+2に等しく、y(0)(q)は第１のデータポート上で送出される第qのデータシンボルを表し、y(1)(q)は第２のデータポート上で送出される第qのデータシンボルを表し、y(2)(q)は第３のデータポート上で送出される第qのデータシンボルを表し、qは3k、3k+1又は3k+2であり、i及びkの双方は0以上の整数である。
【０１６２】
シナリオ3：基地局により端末に割り当てられたリソース番号の数は4である。この場合、端末は、Rank=4、Rank=3、Rank=2及びRank=1のときにCQIを別々に計算し、端末は、Rank=4、Rank=3、Rank=2及びRank=1のときに測定されたスループットレートを比較し、最大スループットレートに対応するRank（すなわち、第２のRank）並びにRankに対応するRI及びCQIを基地局に報告する。
【０１６３】
Rank=4のときに端末がCQIを計算したとき、基地局が２つのデータストリームを端末に割り当て、第１のデータストリームが第１のデータポート及び第２のデータポート上で別々に送信され、第２のデータストリームが第３のデータポート及び第４のデータポート上で送信されることを仮定すると、基地局により各データポート上で送信されるデータは以下の通りである。
【数９】
2019513317.tif 000013
【０１６４】
端末は、この仮定に基づいて、２つのデータストリームに対応するCQIを計算する。x(0)(p)は第１のデータストリーム内の第pのデータシンボルを表し、x(1)(p)は第２のデータストリーム内の第pのデータシンボルを表し、pは2i又は2i+1であり、y(q)(k)は第(q+1)のデータポート上で送出される第kのデータシンボルを表し、i及びkの双方は0以上の整数である。
【０１６５】
Rank=3のときに端末がCQIを計算したとき、基地局が２つのデータストリームを端末に割り当て、第１のデータストリームが第１のデータポート及び第２のデータポート上で別々に送信されることを仮定すると、基地局により第１のデータポート及び第２のデータポート上で送出されるデータは以下の通りである。
【数１０】
2019513317.tif 000014
【０１６６】
第２のデータストリームは、第３のデータポート及び第４のデータポート上で送信され、基地局により第３のデータポート及び第４のデータポート上で送出されるデータは以下の通りである。
【数１１】
2019513317.tif 000015
【０１６７】
端末は、この仮定に基づいて、２つのデータストリームに対応するCQIを計算する。x(0)(p)は第１のデータストリーム内の第pのデータシンボルを表し、x(1)(p)は第２のデータストリーム内の第pのデータシンボルを表し、pは2i又は2i+1であり、y(q)(2k)は第(q+1)のデータポート上で送出される第(2k)のデータシンボルを表し、y(2)(2k+1)は第３のデータポート上で送出される第(2k+1)のデータシンボルを表し、y(3)(2k+1)は第４のデータポート上で送出される第(2k+1)のデータシンボルを表し、qは0、1、2又は3であり、i及びkの双方は0以上の整数である。
【０１６８】
Rank=2のときに端末がCQIを計算したとき、基地局が２つのデータストリームを端末に割り当て、第１のデータストリームが第１のデータポート及び第２のデータポート上で別々に且つ交互に送信されることを仮定すると、基地局により第１のデータポート及び第２のデータポート上で送出されるデータは以下の通りである。
【数１２】
2019513317.tif 000016
【０１６９】
第２のデータストリームは、第３のデータポート及び第４のデータポート上で別々に且つ交互に送信され、基地局により第３のデータポート及び第４のデータポート上で送出されるデータは以下の通りである。
【数１３】
2019513317.tif 000017
【０１７０】
端末は、この仮定に基づいて、２つのデータストリームに対応するCQIを計算する。x(0)(p)は第１のデータストリーム内の第pのデータシンボルを表し、x(1)(p)は第２のデータストリーム内の第pのデータシンボルを表し、pは2i又は2i+1であり、y(q)(2k)は第(q+1)のデータポート上で送出される第(2k)のデータシンボルを表し、y(q)(2k+1)は第(q+1)のデータポート上で送出される第(2k+1)のデータシンボルを表し、qは0、1、2又は3であり、i及びkの双方は0以上の整数である。
【０１７１】
Rank=1のときに端末がCQIを計算したとき、基地局が１つのデータストリームを端末に割り当て、4個のデータポートを使用することにより送信ダイバーシチ方式でデータストリームを送信することを仮定すると、基地局により4個のデータポート上で送出されるデータは以下の通りである。
【数１４】
2019513317.tif 000018
【０１７２】
端末は、この仮定に基づいて、データストリームに対応するCQIを計算する。x(p)はデータストリーム内の第pのデータシンボルを表し、pは4i、4i+1、4i+2又は4i+3であり、y(0)(q)は第１のデータポート上で送出される第qのデータシンボルを表し、y(1)(q)は第２のデータポート上で送出される第qのデータシンボルを表し、y(2)(q)は第３のデータポート上で送出される第qのデータシンボルを表し、y(3)(q)は第４のデータポート上で送出される第qのデータシンボルを表し、qは4k、4k+1、4k+2又は4k+3であり、i及びkの双方は0以上の整数である。
【０１７３】
Rank=1のときに端末がCQIを計算したとき、基地局が4個のデータストリームを交互に使用することによりデータストリームを送信することが仮定されてもよく、基地局により4個のデータポート上で送出されるデータは以下の通りである。
【数１５】
2019513317.tif 000019
【０１７４】
端末は、この仮定に基づいて、データストリームに対応するCQIを計算する。x(p)はデータストリーム内の第pのデータシンボルを表し、pは4i、4i+1、4i+2又は4i+3であり、y(0)(q)は第１のデータポート上で送出される第qのデータシンボルを表し、y(1)(q)は第２のデータポート上で送出される第qのデータシンボルを表し、y(2)(q)は第３のデータポート上で送出される第qのデータシンボルを表し、y(3)(q)は第４のデータポート上で送出される第qのデータシンボルを表し、qは4k、4k+1、4k+2又は4k+3であり、i及びkの双方は0以上の整数である。
【０１７５】
本発明の実施例は、CQI測定装置40を更に提供する。図４に示すように、装置40は、
端末のリソース番号に対応する時間周波数リソースのそれぞれの上のターゲットCSI-RSを決定するように構成された第１の決定ユニット401であり、ターゲットCSI-RSは、プリコーディングされたCSI-RSであり、時間周波数リソースは、CSI-RS又はターゲットCSI-RSを送信するために使用されるリソースエレメントである、第１の決定ユニット401と、
リソース番号に対応する時間周波数リソースのそれぞれの上のターゲットCSI-RSを端末に時間周波数リソース上で送出するように構成された第１の送出ユニット402と、
指示情報を端末に送出するように構成された第２の送出ユニット403であり、指示情報は、リソース番号を端末に示すために使用される、第２の送出ユニット403と、
端末により送出されたCQIを受信するように構成された第１の受信ユニット404であり、CQIは、チャネル品質を示すために使用される、第１の受信ユニット404と
を含む。
【０１７６】
任意選択で、第２の送出ユニット403は、
指示情報を端末にPDCCH上で送出するように具体的に構成され、異なるサブフレームにおいて第２の送出ユニット403により端末にPDCCH上で送出された指示情報により示されるリソース番号は、同じであるか、或いは異なる。
【０１７７】
任意選択で、図５に示すように、装置40は、第２の受信ユニット405と、第２の決定ユニット406と、プリコーディングユニット407と、第３の送出ユニット408とを更に含む。
【０１７８】
第２の受信ユニット405は、端末により送出されたRIを受信するように構成される。RIは、指示情報により示されるリソース番号に対応する時間周波数リソースのそれぞれの上で受信された情報に基づいて端末により測定された第２のRankに基づいて、端末により決定されたRIである。
【０１７９】
第２の決定ユニット406は、RIに基づいて第２のRankを決定するように構成される。
【０１８０】
プリコーディングユニット407は、端末に対応するプリコーディング行列を使用することにより、端末に送出されるデータストリームをプリコーディングするように構成される。
【０１８１】
第３の送出ユニット408は、データポート上でデータストリームを送出するように構成される。データポートの数は、第１のRankの値と同じであり、データストリームのレイヤ数は、第２のRankの値と同じであり、第２のRankは、第１のRank以下であり、第１のRankは、端末について基地局により決定された初期Rankである。
【０１８２】
任意選択で、図５に示すように、装置40は、第４の送出ユニット409を更に含む。
【０１８３】
第４の送出ユニット409は、RRCシグナリングを使用することにより、リソースプールを端末に送出するように構成される。リソース番号は、リソースプールに含まれるR個のリソースのリソース番号であり、１つのリソースは、１つのリソース番号に対応しており、Rは2以上の整数である。
【０１８４】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【０１８５】
任意選択で、第１の決定ユニット401は、
リソース番号、リソース番号に対応するCSI-RS及びプリコーディング行列に基づいて、リソース番号に対応する時間周波数リソースのそれぞれの上で送出されるターゲットCSI-RSを決定するように具体的に構成される。
【０１８６】
任意選択で、第１の決定ユニット401は、
端末の第１のRank及びプリコーディング行列を決定し、
第１のRankに基づいてリソース番号を端末に割り当て、リソース番号の数は、第１のRankの値と同じであり、
リソース番号に対応するコードを使用することにより、リソース番号に対応するCSI-RSに対してスペクトル拡散を実行し、プリコーディング行列を使用することにより、スペクトル拡散後に取得された各CSI-RSをプリコーディングし、リソース番号に対応する時間周波数リソースのそれぞれの上で送出されるターゲットCSI-RSを取得するように具体的に構成される。
【０１８７】
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【０１８８】
任意選択で、リソース番号は、リソースプールに含まれるR個のリソースのリソース番号であり、指示情報は、R個のビットを含み、R個のビット内の第rのビットは、R個のリソース内の第rのリソースを端末に割り当てるか否かを示すために使用され、Rは2以上の整数であり、rは1以上且つR以下の整数であるか、或いは指示情報は、3ビットを含み、指示情報により示されるリソース番号は、3ビットの値が異なるときに異なるか、或いは指示情報は、4ビットを含み、指示情報により示されるリソース番号は、4ビットの値が異なるときに異なる。
【０１８９】
任意選択で、装置40は、第５の送出ユニット410を更に含む。
【０１９０】
第５の送出ユニット410は、トリガー情報を端末に送出するように構成される。トリガー情報は、指示情報により示されるリソース番号に対応する時間周波数リソースのそれぞれの上で受信された情報に基づいてチャネル品質及び／又は第２のRankを測定するように端末をトリガーするために使用される。
【０１９１】
任意選択で、第２の送出ユニット403は、
上りリンクスケジューリング指示情報を端末に送出し、上りリンクスケジューリング指示情報は、指示情報を含むか、或いは
下りリンクスケジューリング指示情報を端末に送出し、下りリンクスケジューリング指示情報は、指示情報を含むように具体的に構成される。
【０１９２】
任意選択で、図５に示すように、装置40は、
第Mのサブフレームにおいて指示情報、ターゲットCSI-RS及び下りリンクデータリソース割り当て方式を端末に送出し、それにより、端末は、第(M+K)のサブフレームにおいて基地局により送出されたデータのチャネル品質を測定し、M及びKの双方は1以上の整数であり、
第(M+K)のサブフレームにおいて端末に対応する変調及び符号化ポリシーを端末に送出し、第Mのサブフレームにおいて基地局によりターゲットCSI-RSに割り当てられたPRBの数及び位置は、第(M+K)のサブフレームにおいて基地局により送出されるデータチャネルにより占有されるPRBの数及び位置と同じである
ように構成された第６の送出ユニット411を更に含む。
【０１９３】
本発明のこの実施例において提供される装置は、端末に割り当てられたリソース番号を端末に動的に示す。全ての時間周波数リソース上で受信された情報に基づいてCQIを測定した後に、全ての測定されたCQIを基地局にフィードバックする代わりに、基地局により示されたリソース番号を受信した後に、端末は、リソース番号に基づいて、各時間周波数上で受信された情報からターゲット情報を決定し、ターゲット情報に基づいてCQIを測定し、CQIを基地局にフィードバックする。したがって、端末のリソース消費がかなり低減される。
【０１９４】
ハードウェアの実現方式では、CQI測定装置40の各ユニットは、ハードウェアの形式ではCQI測定装置40のプロセッサ内に或いはそれとは独立して構築されてもよく、或いはソフトウェアの形式ではCQI測定装置40のメモリに記憶されてもよく、それにより、プロセッサは、前述のユニットに対応する動作を呼び出して実行する。プロセッサは、中央処理装置（Central  Processing  Unit,  略称CPU）、特定用途向け集積回路（Application  Specific  Integrated  Circuit,  略称ASIC）、又は本発明のこの実施例を実現するように構成された１つ以上の集積回路でもよい。
【０１９５】
本発明の実施例は、CQI測定装置60を更に提供する。図６に示すように、装置60は、メモリ601と、プロセッサ602と、送信機603と、受信機604とを含む。
【０１９６】
メモリ601、プロセッサ602、送信機603及び受信機604は、バスシステム605を使用することにより一緒に結合される。メモリ601は、ランダムアクセスメモリを含んでもよく、不揮発性メモリ、例えば、少なくとも１つの磁気ディスクメモリを更に含んでもよい。バスシステム605は、業界標準アーキテクチャ（Industry  Standard  Architecture,  略称ISA）バス、ペリフェラル・コンポーネント・インターコネクト（Peripheral  Component  Interconnect,  略称PCI）バス、拡張業界標準アーキテクチャ（Extended  Industry  Standard  Architecture,  略称EISA）バス等でもよい。バスシステム605は、アドレスバス、データバス、制御バス等に分類されてもよい。表示を容易にするために、１つのみの太線が図６において表示のために使用されているが、これは、１つのバス又は１つの種類のバスのみが存在することを示すのではない。
【０１９７】
メモリ601は、コードを記憶するように構成され、プロセッサ602は、コードに基づいて以下の動作、すなわち、
端末のリソース番号に対応する時間周波数リソースのそれぞれの上のターゲットCSI-RSを決定する動作であり、ターゲットCSI-RSは、プリコーディングされたCSI-RSであり、時間周波数リソースは、CSI-RS又はターゲットCSI-RSを送信するために使用されるリソースエレメントである、動作を実行する。
【０１９８】
送信機603は、リソース番号に対応する時間周波数リソースのそれぞれの上のターゲットCSI-RSを端末に時間周波数リソース上で送出するように構成される。
【０１９９】
送信機603は、指示情報を端末に送出するように更に構成される。指示情報は、リソース番号を端末に示すために使用される。
【０２００】
受信機604は、端末により送出されたCQIを受信するように構成される。CQIは、チャネル品質を示すために使用される。
【０２０１】
任意選択で、送信機603は、
指示情報を端末にPDCCH上で送出するように具体的に構成され、異なるサブフレームにおいて送信機603により端末にPDCCH上で送出された指示情報により示されるリソース番号は、同じであるか、或いは異なる。
【０２０２】
任意選択で、受信機604は、端末により送出されたRIを受信するように更に構成される。RIは、指示情報により示されるリソース番号に対応する時間周波数リソースのそれぞれの上で受信された情報に基づいて端末により測定された第２のRankに基づいて、端末により決定されたRIである。
【０２０３】
プロセッサ602は、RIに基づいて第２のRankを決定するように更に構成される。
【０２０４】
プロセッサ602は、端末に対応するプリコーディング行列を使用することにより、端末に送出されるデータストリームをプリコーディングするように更に構成される。
【０２０５】
送信機603は、データポート上でデータストリームを送出するように更に構成される。データポートの数は、第１のRankの値と同じであり、データストリームのレイヤ数は、第２のRankの値と同じであり、第２のRankは、第１のRank以下であり、第１のRankは、端末について基地局により決定された初期Rankである。
【０２０６】
任意選択で、送信機603は、
RRCシグナリングを使用することにより、リソースプールを端末に送出するように更に構成され、リソース番号は、リソースプールに含まれるR個のリソースのリソース番号であり、１つのリソースは、１つのリソース番号に対応しており、Rは2以上の整数である。
【０２０７】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【０２０８】
任意選択で、プロセッサ602は、
リソース番号、リソース番号に対応するCSI-RS及びプリコーディング行列に基づいて、リソース番号に対応する時間周波数リソースのそれぞれの上で送出されるターゲットCSI-RSを決定するように具体的に構成される。
【０２０９】
任意選択で、プロセッサ602は、
端末の第１のRank及びプリコーディング行列を決定し、
第１のRankに基づいてリソース番号を端末に割り当て、リソース番号の数は、第１のRankの値と同じであり、
リソース番号に対応するコードを使用することにより、リソース番号に対応するCSI-RSに対してスペクトル拡散を実行し、プリコーディング行列を使用することにより、スペクトル拡散後に取得された各CSI-RSをプリコーディングし、リソース番号に対応する時間周波数リソースのそれぞれの上で送出されるターゲットCSI-RSを取得するように具体的に構成される。
【０２１０】
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【０２１１】
任意選択で、リソース番号は、リソースプールに含まれるR個のリソースのリソース番号であり、指示情報は、R個のビットを含み、R個のビット内の第rのビットは、R個のリソース内の第rのリソースを端末に割り当てるか否かを示すために使用され、Rは2以上の整数であり、rは1以上且つR以下の整数であるか、或いは指示情報は、3ビットを含み、指示情報により示されるリソース番号は、3ビットの値が異なるときに異なるか、或いは指示情報は、4ビットを含み、指示情報により示されるリソース番号は、4ビットの値が異なるときに異なる。
【０２１２】
任意選択で、送信機603は、
トリガー情報を端末に送出するように更に構成され、トリガー情報は、指示情報により示されるリソース番号に対応する時間周波数リソースのそれぞれの上で受信された情報に基づいてチャネル品質及び／又は第２のRankを測定するように端末をトリガーするために使用される。
【０２１３】
任意選択で、送信機603は、
上りリンクスケジューリング指示情報を端末に送出し、上りリンクスケジューリング指示情報は、指示情報を含むか、或いは
下りリンクスケジューリング指示情報を端末に送出し、下りリンクスケジューリング指示情報は、指示情報を含むように具体的に構成される。
【０２１４】
任意選択で、送信機603は、
第Mのサブフレームにおいて指示情報、ターゲットCSI-RS及び下りリンクデータリソース割り当て方式を端末に送出し、それにより、端末は、第(M+K)のサブフレームにおいて基地局により送出されたデータのチャネル品質を測定し、M及びKの双方は1以上の整数であり、
第(M+K)のサブフレームにおいて端末に対応する変調及び符号化ポリシーを端末に送出し、第Mのサブフレームにおいて基地局によりターゲットCSI-RSに割り当てられたPRBの数及び位置は、第(M+K)のサブフレームにおいて基地局により送出されるデータチャネルにより占有されるPRBの数及び位置と同じである
ように更に構成される。
【０２１５】
本発明のこの実施例において提供される装置は、端末に割り当てられたリソース番号を端末に動的に示す。全ての時間周波数リソース上で受信された情報に基づいてCQIを測定した後に、全ての測定されたCQIを基地局にフィードバックする代わりに、基地局により示されたリソース番号を受信した後に、端末は、リソース番号に基づいて、各時間周波数上で受信された情報からターゲット情報を決定し、ターゲット情報に基づいてCQIを測定し、CQIを基地局にフィードバックする。したがって、端末のリソース消費がかなり低減される。
【０２１６】
本発明の実施例は、CQI測定装置70を更に提供する。図７に示すように、装置70は、
基地局により各時間周波数リソース上で送出された情報を受信するように構成された第１の受信ユニット701と、
基地局により送出された指示情報を受信するように構成された第２の受信ユニット702であり、指示情報は、端末のリソース番号を端末に示すために使用される、第２の受信ユニット702と、
指示情報に基づいて端末のリソース番号を決定するように構成された第１の決定ユニット703と、
端末のリソース番号に基づいて情報からターゲット情報を決定するように構成された第２の決定ユニット704であり、ターゲット情報は、端末のリソース番号に対応する時間周波数リソース上で基地局により端末に送出された受信情報であり、時間周波数リソースは、CSI-RS又はターゲットCSI-RSを送信するために使用されるリソースエレメントであり、ターゲットCSI-RSは、プリコーディングされたCSI-RSである、第２の決定ユニット704と、
ターゲット情報に基づいてチャネル品質を測定し、測定されたチャネル品質に基づいてCQIを決定するように構成された第１の実行ユニット705と、
CQIを基地局に送出するように構成された第１の送出ユニット706と
を含む。
【０２１７】
任意選択で、第２の受信ユニット702は、
基地局により送出された指示情報をPDCCH上で受信するように具体的に構成され、基地局により送出され且つ異なるサブフレームにおいて第２の受信ユニット702によりPDCCH上で受信された指示情報により示されるリソース番号は、同じであるか、或いは異なる。
【０２１８】
任意選択で、図８に示すように、装置70は、第３の決定ユニット707と、第２の実行ユニット708と、第２の送出ユニット709とを更に含む。
【０２１９】
第３の決定ユニット707は、リソース番号の数が第１のRankの値であると決定するように構成される。第１のRankは、端末について基地局により決定された初期Rankである。
【０２２０】
第２の実行ユニット708は、ターゲット情報及び第１のRankに基づいて第２のRankを測定し、測定された第２のRankに基づいてRIを決定するように構成される。RIに対応する第２のRankは、第１のRank以下である。
【０２２１】
第２の送出ユニット709は、RIを基地局に送出するように構成される。
【０２２２】
任意選択で、図８に示すように、装置70は、
RRCシグナリングを使用することにより、基地局により送出されたリソースプールを受信するように構成された第３の受信ユニット710であり、リソース番号は、リソースプールに含まれるR個のリソースのリソース番号であり、１つのリソースは、１つのリソース番号に対応しており、Rは2以上の整数である、第３の受信ユニット710を更に含む。
【０２２３】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【０２２４】
任意選択で、第２の決定ユニット704は、
端末のリソース番号に対応する時間周波数リソース上で受信された情報を決定し、
端末のリソース番号に対応するコードを使用することにより、端末のリソース番号に対応する時間周波数リソース上で受信された情報を逆拡散し、ターゲット情報を取得するように具体的に構成される。
【０２２５】
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【０２２６】
任意選択で、第１の決定ユニット703は、
指示情報に含まれるR個のビットに基づいて端末のリソース番号を決定し、R個のビット内の第rのビットは、R個のリソース内の第rのリソースを端末に割り当てるか否かを示すために使用され、Rは2以上の整数であり、rは1以上且つR以下の整数であるか、或いは
指示情報に含まれる3ビットの値に基づいて端末のリソース番号を決定するか、或いは
指示情報に含まれる4ビットの値に基づいて端末のリソース番号を決定するように具体的に構成される。
【０２２７】
任意選択で、図８に示すように、装置70は、第４の受信ユニット711と、第４の決定ユニット712とを更に含む。
【０２２８】
第４の受信ユニット711は、基地局により送出されたトリガー情報を受信するように構成される。
【０２２９】
第４の決定ユニット712は、トリガー情報に基づいてチャネル品質及び／又は第２のRankを測定することを決定するように構成される。
【０２３０】
任意選択で、第２の受信ユニット702は、
基地局により送出された上りリンクスケジューリング指示情報を受信し、上りリンクスケジューリング指示情報は、指示情報を含むか、或いは
基地局により送出された下りリンクスケジューリング指示情報を受信し、下りリンクスケジューリング指示情報は、指示情報を含むように具体的に構成される。
【０２３１】
任意選択で、図８に示すように、装置70は、
基地局により送出された受信した第Mのサブフレームに基づいて、第(M+K)のサブフレームにおいて基地局により送出されたデータのチャネル品質を測定するように構成された測定ユニット713を更に含む。
【０２３２】
第Mのサブフレームは、指示情報、ターゲットCSI-RS及び下りリンクデータリソース割り当て方式を含み、第(M+K)のサブフレームは、端末に対応する変調及び符号化ポリシーを含み、第Mのサブフレームにおいて基地局によりターゲットCSI-RSに割り当てられたPRBの数及び位置は、第(M+K)のサブフレームにおいて基地局により送出されるデータチャネルにより占有されるPRBの数及び位置と同じであり、M及びKの双方は1以上の整数である。
【０２３３】
本発明のこの実施例において提供される装置は、全ての時間周波数リソース上で受信された情報に基づいてCQIを測定した後に、全ての測定されたCQIを基地局にフィードバックする代わりに、基地局により示されたリソース番号を受信し、リソース番号に基づいて、各時間周波数上で受信された情報からターゲット情報を決定し、ターゲット情報に基づいてCQIを測定し、CQIを基地局にフィードバックする。したがって、端末のリソース消費がかなり低減される。
【０２３４】
ハードウェアの実現方式では、CQI測定装置70の各ユニットは、ハードウェアの形式ではCQI測定装置70のプロセッサ内に或いはそれとは独立して構築されてもよく、或いはソフトウェアの形式ではCQI測定装置70のメモリに記憶されてもよく、それにより、プロセッサは、前述のユニットに対応する動作を呼び出して実行する。プロセッサは、CPU、ASIC、又は本発明のこの実施例を実現するように構成された１つ以上の集積回路でもよい。
【０２３５】
本発明の実施例は、CQI測定装置90を更に提供する。図９に示すように、装置90は、受信機901と、メモリ902と、プロセッサ903と、送信機904とを含む。
【０２３６】
受信機901、メモリ902、プロセッサ903及び送信機904は、バスシステム905を使用することにより一緒に結合される。メモリ902は、ランダムアクセスメモリを含んでもよく、不揮発性メモリ、例えば、少なくとも１つの磁気ディスクメモリを更に含んでもよい。メモリ902は、ISAバス、PCIバス、EISAバス等でもよい。メモリ902は、アドレスバス、データバス、制御バス等に分類されてもよい。表示を容易にするために、１つのみの太線が図９において表示のために使用されているが、これは、１つのバス又は１つの種類のバスのみが存在することを示すのではない。
【０２３７】
受信機901は、基地局により各時間周波数リソース上で送出された情報を受信するように構成される。
【０２３８】
受信機901は、基地局により送出された指示情報を受信するように更に構成される。指示情報は、端末のリソース番号を端末に示すために使用される。
【０２３９】
メモリ902は、コードを記憶するように構成され、プロセッサ903は、コードに基づいて以下の動作、すなわち、
指示情報に基づいて端末のリソース番号を決定する動作と、
端末のリソース番号に基づいて情報からターゲット情報を決定する動作であり、ターゲット情報は、端末のリソース番号に対応する時間周波数リソース上で基地局により端末に送出された受信情報であり、時間周波数リソースは、CSI-RS又はターゲットCSI-RSを送信するために使用されるリソースエレメントであり、ターゲットCSI-RSは、プリコーディングされたCSI-RSである、動作と、
ターゲット情報に基づいてチャネル品質を測定し、測定されたチャネル品質に基づいてCQIを決定する動作とを実行する。
【０２４０】
送信機904は、CQIを基地局に送出するように構成される。
【０２４１】
任意選択で、受信機901は、
基地局により送出された指示情報をPDCCH上で受信するように具体的に構成され、基地局により送出され且つ異なるサブフレームにおいて受信機901によりPDCCH上で受信された指示情報により示されるリソース番号は、同じであるか、或いは異なる。
【０２４２】
任意選択で、プロセッサ903は、リソース番号の数が第１のRankの値であると決定するように更に構成される。第１のRankは、端末について基地局により決定された初期Rankである。
【０２４３】
プロセッサ903は、ターゲット情報及び第１のRankに基づいて第２のRankを測定し、測定された第２のRankに基づいてRIを決定するように更に構成される。RIに対応する第２のRankは、第１のRank以下である。
【０２４４】
送信機904は、RIを基地局に送出するように更に構成される。
【０２４５】
任意選択で、受信機901は、
RRCシグナリングを使用することにより、基地局により送出されたリソースプールを受信するように更に構成され、リソース番号は、リソースプールに含まれるR個のリソースのリソース番号であり、１つのリソースは、１つのリソース番号に対応しており、Rは2以上の整数である。
【０２４６】
任意選択で、リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である。
【０２４７】
任意選択で、プロセッサ903は、
端末のリソース番号に対応する時間周波数リソース上で受信された情報を決定し、
端末のリソース番号に対応するコードを使用することにより、端末のリソース番号に対応する時間周波数リソース上で受信された情報を逆拡散し、ターゲット情報を取得するように具体的に構成される。
【０２４８】
リソース番号がターゲットCSI-RSポート番号であるとき、リソース番号に対応するコードは、長さがNであり且つターゲットCSI-RSポートに対応しているコードであるか、或いはリソース番号が直交行列の行番号であるとき、リソース番号に対応するコードは、行番号に対応する行要素であるか、或いはリソース番号が直交行列の列番号であるとき、リソース番号に対応するコードは、列番号に対応する列要素である。
【０２４９】
任意選択で、プロセッサ903は、
指示情報に含まれるR個のビットに基づいて端末のリソース番号を決定し、R個のビット内の第rのビットは、R個のリソース内の第rのリソースを端末に割り当てるか否かを示すために使用され、Rは2以上の整数であり、rは1以上且つR以下の整数であるか、或いは
指示情報に含まれる3ビットの値に基づいて端末のリソース番号を決定するか、或いは
指示情報に含まれる4ビットの値に基づいて端末のリソース番号を決定するように具体的に構成される。
【０２５０】
任意選択で、受信機901は、基地局により送出されたトリガー情報を受信するように更に構成され、プロセッサ903は、トリガー情報に基づいてチャネル品質及び／又は第２のRankを測定することを決定するように更に構成される。
【０２５１】
任意選択で、受信機901は、
基地局により送出された上りリンクスケジューリング指示情報を受信し、上りリンクスケジューリング指示情報は、指示情報を含むか、或いは
基地局により送出された下りリンクスケジューリング指示情報を受信し、下りリンクスケジューリング指示情報は、指示情報を含むように具体的に構成される。
【０２５２】
任意選択で、プロセッサ903は、
基地局により送出された受信した第Mのサブフレームに基づいて、第(M+K)のサブフレームにおいて基地局により送出されたデータのチャネル品質を測定するように更に構成される。
【０２５３】
第Mのサブフレームは、指示情報、ターゲットCSI-RS及び下りリンクデータリソース割り当て方式を含み、第(M+K)のサブフレームは、端末に対応する変調及び符号化ポリシーを含み、第Mのサブフレームにおいて基地局によりターゲットCSI-RSに割り当てられたPRBの数及び位置は、第(M+K)のサブフレームにおいて基地局により送出されるデータチャネルにより占有されるPRBの数及び位置と同じであり、M及びKの双方は1以上の整数である。
【０２５４】
本発明のこの実施例において提供される装置は、全ての時間周波数リソース上で受信された情報に基づいてCQIを測定した後に、全ての測定されたCQIを基地局にフィードバックする代わりに、基地局により示されたリソース番号を受信し、リソース番号に基づいて、各時間周波数上で受信された情報からターゲット情報を決定し、ターゲット情報に基づいてCQIを測定し、CQIを基地局にフィードバックする。したがって、端末のリソース消費がかなり低減される。
【０２５５】
この出願において提供されるいくつかの実施例において、開示の装置及び方法は、他の方式で実現されてもよいことが理解されるべきである。例えば、記載の装置の実施例は、単なる例である。例えば、モジュールの分割は、単に論理的な機能分割であり、実際の実現方式では他の分割でもよい。例えば、複数のモジュール又はコンポーネントは結合されてもよく、或いは他のシステムに統合されてもよく、或いはいくつかの特徴が無視されてもよく或いは実行されなくてもよい。
【０２５６】
別々の部分として記載したモジュールは、物理的に別々でもよく或いは別々でなくてもよく、モジュールとして表示された部分は、物理的なモジュールでもよく或いは物理的なモジュールでなくてもよく、１つの場所に位置してもよく、或いは複数のネットワークユニットに分散されてもよい。ユニットの一部又は全部は、実施例の解決策の目的を達成するために、実際の要件に従って選択されてもよい。
【０２５７】
さらに、本発明の実施例における機能モジュールは、１つの処理モジュールに統合されてもよく、或いは２つ以上のモジュールが１つのモジュールに統合されてもよい。統合されたモジュールは、ハードウェアの形式で実現されてもよく、或いはソフトウェア機能モジュールに加えてハードウェアの形式で実現されてもよい。
【０２５８】
前述の統合されたモジュールがソフトウェア機能モジュールの形式で実現されるとき、統合されたモジュールは、コンピュータ読み取り可能記憶媒体に記憶されてもよい。ソフトウェア機能モジュールは、記憶媒体に記憶され、コンピュータデバイス（パーソナルコンピュータ、サーバ、ネットワークデバイス等でもよい）に対して本発明の実施例に記載の方法のいくつかのステップを実行するように命令するためのいくつかの命令を含む。前述の記憶媒体は、USBフラッシュドライブ、取り外し可能ハードディスク、読み取り専用メモリ（Read-Only  Memory,  略称ROM）、ランダムアクセスメモリ（Random  Access  Memory,  略称RAM）、磁気ディスク又は光ディスクのようなプログラムコードを記憶できるいずれかの媒体を含む。
【図１Ａ】
2019513317.tif 000020
【図１Ｂ】
2019513317.tif 000021
【図２】
2019513317.tif 000022
【図３】
2019513317.tif 000023
【図４】
2019513317.tif 000024
【図５】
2019513317.tif 000025
【図６】
2019513317.tif 000026
【図７】
2019513317.tif 000027
【図８】
2019513317.tif 000028
【図９】
2019513317.tif 000029
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
チャネル品質インデックスCQI測定方法であって、
基地局により、端末のリソース番号に対応する時間周波数リソースのそれぞれの上のターゲットチャネル状態情報参照信号CSI-RSを決定するステップであり、前記ターゲットCSI-RSは、プリコーディングされたCSI-RSであり、前記時間周波数リソースは、前記CSI-RS又は前記ターゲットCSI-RSを送信するために使用されるリソースエレメントである、ステップと、
前記基地局により、前記リソース番号に対応する前記時間周波数リソースのそれぞれの上の前記ターゲットCSI-RSを前記端末に前記時間周波数リソース上で送出するステップと、
前記基地局により、指示情報を前記端末に送出するステップであり、前記指示情報は、前記リソース番号を前記端末に示すために使用される、ステップと、
前記基地局により、前記端末により送出されたCQIを受信するステップであり、前記CQIは、チャネル品質を示すために使用される、ステップと
を含む方法。
【請求項２】
前記基地局により、指示情報を前記端末に送出するステップは、
前記基地局により、前記指示情報を前記端末に物理下りリンク制御チャネルPDCCH上で送出するステップであり、異なるサブフレームにおいて前記基地局により前記端末にPDCCH上で送出された前記指示情報により示されるリソース番号は、同じであるか、或いは異なる、ステップを含む、請求項１に記載の方法。
【請求項３】
前記リソース番号は、リソースプールに含まれるR個のリソースのリソース番号であり、１つのリソースは、１つのリソース番号に対応しており、Rは2以上の整数であり、前記リソースプールは、前記基地局により規定されたリソースプールであり、前記方法は、
前記基地局により、無線リソース制御RRCシグナリングを使用することにより、前記リソースプールを前記端末に送出するステップを更に含む、請求項１又は２に記載の方法。
【請求項４】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項１乃至３のうちいずれか１項に記載の方法。
【請求項５】
基地局により、端末のリソース番号に対応する時間周波数リソースのそれぞれの上のターゲットCSI-RSを決定するステップは、
前記基地局により、前記リソース番号、前記リソース番号に対応するCSI-RS及びプリコーディング行列に基づいて、前記リソース番号に対応する前記時間周波数リソースのそれぞれの上で送出される前記ターゲットCSI-RSを決定するステップを含む、請求項４に記載の方法。
【請求項６】
前記基地局により、前記リソース番号、前記リソース番号に対応するCSI-RS及び前記プリコーディング行列に基づいて、前記リソース番号に対応する前記時間周波数リソースのそれぞれの上で送出される前記ターゲットCSI-RSを決定するステップは、
前記基地局により、前記端末の第１のRank及び前記プリコーディング行列を決定するステップと、
前記基地局により、前記第１のRankに基づいて前記リソース番号を前記端末に割り当てるステップであり、前記リソース番号の数は、前記第１のRankの値と同じである、ステップと、
前記基地局により、前記リソース番号に対応するコードを使用することにより、前記リソース番号に対応する前記CSI-RSに対してスペクトル拡散を実行し、前記プリコーディング行列を使用することにより、スペクトル拡散後に取得された各CSI-RSをプリコーディングし、前記リソース番号に対応する前記時間周波数リソースのそれぞれの上で送出される前記ターゲットCSI-RSを取得するステップと、
を含み、前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項５に記載の方法。
【請求項７】
チャネル品質インデックスCQI測定方法であって、
端末により、基地局により各時間周波数リソース上で送出された情報を受信するステップと、
前記端末により、前記基地局により送出された指示情報を受信するステップであり、前記指示情報は、前記端末のリソース番号を前記端末に示すために使用される、ステップと、
前記端末により、前記指示情報に基づいて前記端末の前記リソース番号を決定するステップと、
前記端末により、前記端末の前記リソース番号に基づいて前記情報からターゲット情報を決定するステップであり、前記ターゲット情報は、前記端末の前記リソース番号に対応する時間周波数リソース上で前記基地局により前記端末に送出された受信情報であり、前記時間周波数リソースは、チャネル状態情報参照信号CSI-RS又はターゲットCSI-RSを送信するために使用されるリソースエレメントであり、前記ターゲットCSI-RSは、プリコーディングされたCSI-RSである、ステップと、
前記端末により、前記ターゲット情報に基づいてチャネル品質を測定し、前記測定されたチャネル品質に基づいてCQIを決定するステップと、
前記端末により、前記CQIを前記基地局に送出するステップと
を含む方法。
【請求項８】
前記端末により、前記基地局により送出された指示情報を受信するステップは、
前記端末により、前記基地局により送出された前記指示情報を物理下りリンク制御チャネルPDCCH上で受信するステップであり、前記基地局により送出され且つ異なるサブフレームにおいて前記端末によりPDCCH上で受信された前記指示情報により示されるリソース番号は、同じであるか、或いは異なる、ステップを含む、請求項７に記載の方法。
【請求項９】
前記リソース番号は、リソースプールに含まれるR個のリソースのリソース番号であり、１つのリソースは、１つのリソース番号に対応しており、Rは2以上の整数であり、前記方法は、
前記端末により、無線リソース制御RRCシグナリングを使用することにより、前記基地局により送出された前記リソースプールを受信するステップを更に含む、請求項７又は８に記載の方法。
【請求項１０】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項７乃至９のうちいずれか１項に記載の方法。
【請求項１１】
前記端末により、前記端末の前記リソース番号に基づいて前記情報からターゲット情報を決定するステップは、
前記端末により、前記端末の前記リソース番号に対応する前記時間周波数リソース上で受信された前記情報を決定するステップと、
前記端末により、前記端末の前記リソース番号に対応するコードを使用することにより、前記端末の前記リソース番号に対応する前記時間周波数リソース上で受信された前記情報を逆拡散し、前記ターゲット情報を取得するステップと
を含み、前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項１０に記載の方法。
【請求項１２】
チャネル品質インデックスCQI測定装置であって、
端末のリソース番号に対応する時間周波数リソースのそれぞれの上のターゲットチャネル状態情報参照信号CSI-RSを決定するように構成された第１の決定ユニットであり、前記ターゲットCSI-RSは、プリコーディングされたCSI-RSであり、前記時間周波数リソースは、前記CSI-RS又は前記ターゲットCSI-RSを送信するために使用されるリソースエレメントである、第１の決定ユニットと、
前記リソース番号に対応する前記時間周波数リソースのそれぞれの上の前記ターゲットCSI-RSを前記端末に前記時間周波数リソース上で送出するように構成された第１の送出ユニットと、
指示情報を前記端末に送出するように構成された第２の送出ユニットであり、前記指示情報は、前記リソース番号を前記端末に示すために使用される、第２の送出ユニットと、
前記端末により送出されたCQIを受信するように構成された第１の受信ユニットであり、前記CQIは、チャネル品質を示すために使用される、第１の受信ユニットと
を含む装置。
【請求項１３】
前記第２の送出ユニットは、
前記指示情報を前記端末に物理下りリンク制御チャネルPDCCH上で送出するように構成され、異なるサブフレームにおいて前記第２の送出ユニットにより前記端末にPDCCH上で送出された前記指示情報により示されるリソース番号は、同じであるか、或いは異なる、請求項１２に記載の装置。
【請求項１４】
前記装置は、第４の送出ユニットを更に含み、
前記第４の送出ユニットは、無線リソース制御RRCシグナリングを使用することにより、リソースプールを前記端末に送出するように構成され、前記リソース番号は、前記リソースプールに含まれるR個のリソースのリソース番号であり、１つのリソースは、１つのリソース番号に対応しており、Rは2以上の整数である、請求項１２又は１３に記載の装置。
【請求項１５】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項１２乃至１４のうちいずれか１項に記載の装置。
【請求項１６】
前記第１の決定ユニットは、
前記リソース番号、前記リソース番号に対応するCSI-RS及びプリコーディング行列に基づいて、前記リソース番号に対応する前記時間周波数リソースのそれぞれの上で送出される前記ターゲットCSI-RSを決定するように構成される、請求項１５に記載の装置。
【請求項１７】
前記第１の決定ユニットは、
前記端末の第１のRank及び前記プリコーディング行列を決定し、
前記第１のRankに基づいて前記リソース番号を前記端末に割り当て、リソース番号の数は、前記第１のRankの値と同じであり、
前記リソース番号に対応するコードを使用することにより、前記リソース番号に対応する前記CSI-RSに対してスペクトル拡散を実行し、前記プリコーディング行列を使用することにより、スペクトル拡散後に取得された各CSI-RSをプリコーディングし、前記リソース番号に対応する前記時間周波数リソースのそれぞれの上で送出される前記ターゲットCSI-RSを取得するように構成され、
前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項１６に記載の装置。
【請求項１８】
チャネル品質インデックスCQI測定装置であって、
基地局により各時間周波数リソース上で送出された情報を受信するように構成された第１の受信ユニットと、
前記基地局により送出された指示情報を受信するように構成された第２の受信ユニットであり、前記指示情報は、端末のリソース番号を前記端末に示すために使用される、第２の受信ユニットと、
前記指示情報に基づいて前記端末の前記リソース番号を決定するように構成された第１の決定ユニットと、
前記端末の前記リソース番号に基づいて前記情報からターゲット情報を決定するように構成された第２の決定ユニットであり、前記ターゲット情報は、前記端末の前記リソース番号に対応する時間周波数リソース上で前記基地局により前記端末に送出された受信情報であり、前記時間周波数リソースは、チャネル状態情報参照信号CSI-RS又はターゲットCSI-RSを送信するために使用されるリソースエレメントであり、前記ターゲットCSI-RSは、プリコーディングされたCSI-RSである、第２の決定ユニットと、
前記ターゲット情報に基づいてチャネル品質を測定し、前記測定されたチャネル品質に基づいてCQIを決定するように構成された第１の実行ユニットと、
前記CQIを前記基地局に送出するように構成された第１の送出ユニットと
を含む装置。
【請求項１９】
前記第２の受信ユニットは、
前記基地局により送出された前記指示情報を物理下りリンク制御チャネルPDCCH上で受信するように構成され、前記基地局により送出され且つ異なるサブフレームにおいて前記第２の受信ユニットによりPDCCH上で受信された前記指示情報により示されるリソース番号は、同じであるか、或いは異なる、請求項１８に記載の装置。
【請求項２０】
前記装置は、
無線リソース制御RRCシグナリングを使用することにより、前記基地局により送出されたリソースプールを受信するように構成された第３の受信ユニットを更に含み、前記リソース番号は、前記リソースプールに含まれるR個のリソースのリソース番号であり、１つのリソースは、１つのリソース番号に対応しており、Rは2以上の整数である、請求項１８又は１９に記載の装置。
【請求項２１】
前記リソース番号は、ターゲットCSI-RSポート番号、直交行列の行番号又は直交行列の列番号であり、N個のリソースエレメントと長さがNである１つのコードとの組み合わせは、１つのターゲットCSI-RSポートに対応しているか、或いは１つのリソースエレメントは、１つのターゲットCSI-RSポートに対応しており、Nは2以上の整数である、請求項１８乃至２０のうちいずれか１項に記載の装置。
【請求項２２】
前記第２の決定ユニットは、
前記端末の前記リソース番号に対応する前記時間周波数リソース上で受信された前記情報を決定し、
前記端末の前記リソース番号に対応するコードを使用することにより、前記端末の前記リソース番号に対応する前記時間周波数リソース上で受信された前記情報を逆拡散し、前記ターゲット情報を取得するように構成され、
前記リソース番号がターゲットCSI-RSポート番号であるとき、前記リソース番号に対応する前記コードは、長さがNであり且つ前記ターゲットCSI-RSポートに対応しているコードであるか、或いは前記リソース番号が直交行列の行番号であるとき、前記リソース番号に対応する前記コードは、前記行番号に対応する行要素であるか、或いは前記リソース番号が直交行列の列番号であるとき、前記リソース番号に対応する前記コードは、前記列番号に対応する列要素である、請求項２１に記載の装置。
【手続補正２】
【補正対象書類名】明細書
【補正対象項目名】０００３
【補正方法】変更
【補正の内容】
【０００３】
この問題を解決するため、基地局は、端末について再構成されたプリコーディング行列に基づいてCSI-RSをプリコーディングし、プリコーディングされたCSI-RSを端末に送出する。端末は、CSI-RSに基づいてCQIを再測定し、CQIを基地局にフィードバックする。この場合、CSI-RSに基づいてCQIを再測定するとき、端末は、各CSI-RSポートに対応するチャネルのチャネル品質を測定し（換言すると、端末は、各CSI-RSポートに対応する時間周波数リソース上の受信情報に基づいて、CSI-RSポートに対応するチャネルのチャネル品質を測定する必要がある）、全てのCSI-RSポートに対応するチャネルのチャネル品質を基地局にフィードバックする。しかし、実際には、基地局は、端末に対応するCSI-RSポートに対応するチャネルのチャネル品質のみを必要とする。したがって、上りリンクリソースが浪費される。
【手続補正３】
【補正対象書類名】明細書
【補正対象項目名】０１２６
【補正方法】変更
【補正の内容】
【０１２６】
この任意選択の方法では、ターゲットCSI-RSの帯域幅は、データの帯域幅と一致しており、端末は、ターゲットCSI-RSを測定し、対応する帯域幅内でCQIをフィードバックしてもよく、それにより、上りリンクフィードバックのリソース消費を低減する。
【手続補正４】
【補正対象書類名】明細書
【補正対象項目名】０１４４
【補正方法】変更
【補正の内容】
【０１４４】
前述の方法では、端末がMU-MIMOを形成する複数の端末のうち１つであるとき、基地局が複数の端末を使用することによりMU-MIMOを形成することを決定した後に、基地局は、各端末のプリコーディング行列を再決定し、したがって、端末がMU-MIMOを形成する前に端末により報告されたCQIは不正確である。したがって、各端末は、CQIを再びフィードバックする必要がある。しかし、RankとCQIとの間の高い相関のため、CQIが変化した後に、基地局が依然として第１のRankに基づいてデータを端末に送出する場合、端末は、データを正確に復号化しない可能性がある。したがって、本発明のこの実施例では、端末は、ターゲット情報に基づいて第２のRankを更に決定し、RIを基地局にフィードバックする。基地局は、第２のRankを端末に対応するRankとして最終的に決定し、それにより、端末がデータを正確に復号化できることを確保する。しかし、データストリームを端末に送出するときに、基地局は、依然として数が第１のRankの値と同じであるデータポートを使用することによりデータを送出し、データポートに使用されるプリコーディング行列は、ターゲットCSI-RSポートに使用されるプリコーディング行列と同じである。このように、複数の端末の間の干渉の安定性が確保できる。
【手続補正５】
【補正対象書類名】明細書
【補正対象項目名】０２３６
【補正方法】変更
【補正の内容】
【０２３６】
受信機901、メモリ902、プロセッサ903及び送信機904は、バスシステム905を使用することにより一緒に結合される。メモリ902は、ランダムアクセスメモリを含んでもよく、不揮発性メモリ、例えば、少なくとも１つの磁気ディスクメモリを更に含んでもよい。バスシステム905は、ISAバス、PCIバス、EISAバス等でもよい。バスシステム905は、アドレスバス、データバス、制御バス等に分類されてもよい。表示を容易にするために、１つのみの太線が図９において表示のために使用されているが、これは、１つのバス又は１つの種類のバスのみが存在することを示すのではない。
【国際調査報告】
2019513317.tif 000030
2019513317.tif 000031
2019513317.tif 000032
2019513317.tif 000033